(57)【要約】【課題】不正解錠に対する十分な防御性能の確保と、メンテナンス性の向上との両立を図ることのできる遊技機を提供する。【解決手段】パチンコ機１０は、外枠１１と、これに対し開閉可能に支持された内枠１２と、外枠１１に対し内枠１２を施錠する施錠装置とを備えている。施錠装置は、鍵により操作されるシリンダ錠７００と、これの動作に連動して、内枠１２の開放を規制する位置と、内枠１２の開放を許容する非係合位置とに変位する内鉤部材とを備えている。また、外枠１１の右辺枠構成部は金属製材料により成形され、その内側面に前記施錠装置の背面側を覆う突出壁部を備えている。突出壁部には、その前面側に、内鉤部材が係合する受け金具と、背面側から受け金具に組付けられる樹脂カバーとが取付けられる。そして、樹脂カバーを組付けることにより、受け金具が突出壁部から取外し不能となる。【選択図】      図１
2010088551.tif 000002
【特許請求の範囲】
【請求項１】
矩形枠状に構成された固定枠と、
前記固定枠の前面側にて、当該固定枠を構成する上下左右の枠構成部のうちの左右両辺の枠構成部の一方側に開閉可能に支持された扉体と、
前記扉体に設けられ、前記固定枠の左右両辺の枠構成部の他方側にて当該固定枠に対し前記扉体を施錠する施錠装置とを備え、
前記施錠装置が、
鍵により操作される錠部材と、
少なくとも前記鍵の操作に応じた前記錠部材の動作に連動して、前記固定枠に設けられた被係合部材に対し係合されて前記扉体の開放を規制する係合位置と、前記被係合部材から離脱して前記扉体の開放を許容する非係合位置とに変位可能な鉤部材とを備えた遊技機において、
少なくとも前記固定枠の左右両辺のうちの前記他方側の枠構成部は、金属製材料により成形されるとともに、その内側面にて、前記施錠装置の背面側を覆うように、上下方向に沿って形成された突出壁部を備え、
前記突出壁部の前面側に取付けられ、前記被係合部材及びこれに係合される前記鉤部材を囲む第１カバー部材と、
前記突出壁部を挟み込むように、当該突出壁部の背面側から前記第１カバー部材に組付けられる第２カバー部材とを備え、
前記第２カバー部材を組付けることにより、前記第１カバー部材が前記突出壁部から取外し不能となることを特徴とする遊技機。
【発明の詳細な説明】
【技術分野】
【０００１】
本発明は、パチンコ機等の遊技機に関するものである。
【背景技術】
【０００２】
一般にパチンコ機等の遊技機では、メンテナンス等の観点から遊技機本体（内枠）が固定枠（外枠）に対し開閉可能に設けられている。そのため、店員以外の者が無断で遊技機本体を開放できないように、遊技機には施錠装置が設けられている。かかる施錠装置としては、専用の鍵を用いて操作されるシリンダ錠と、固定枠に設けられた複数の被係合部材に対しそれぞれ係脱可能に設けられた複数の鉤部材と、鍵によるシリンダ錠の解錠操作に応じて複数の鉤部材を連動させる摺動杆とを備えたものが知られている。そして、施錠状態では各鉤部材がそれぞれ対応する被係合部材に係合することで遊技機本体が固定枠に対し開放不能となる。他方、専用の鍵でシリンダ錠を解錠操作することにより摺動杆を介して各鉤部材が被係合部材から同時に離脱し、遊技機本体が開放可能となる。
【０００３】
近年、遊技ホールでは、営業中に遊技機本体を不正に解錠し、本体裏側に設けられた制御機器を不正に操作したり交換する等して、多くの遊技媒体を獲得する不正行為が行われることもある。このような不正解錠は、通常、遊技機本体と固定枠との隙間から針金等の線材を差込み、当該線材を施錠装置の鉤部材に引っ掛けて解錠方向に動かすことにより行われる。いずれか１つの鉤部材に対して不正な解錠操作が行われると、その動作が摺動杆を介して他の鉤部材に伝達され、全鉤部材が連動して被係合部材から離脱し、遊技機本体が開放可能となる。
【０００４】
このような不正解錠操作を防止するため、近年では、例えば被係合部材及びこれに係合した鉤部材を囲む防護カバーを備えた遊技機も提案されている（例えば特許文献１参照）。このようにすれば、遊技機前面側から専用の鍵でシリンダ錠を解錠操作しない限り、遊技機本体の開放を行うことは極めて困難となる。
【特許文献１】特開２００１−２２４８１２号公報
【発明の開示】
【発明が解決しようとする課題】
【０００５】
しかしながら、遊技ホールにおいては、遊技機の導入時やシリンダ錠の故障時など様々な場面において、シリンダ錠自体の交換や、遊技ホールで使用する鍵に合わせたシリンダ錠のキーコード（鍵穴形状）の変更などが行われる。一般的なシリンダ錠では、例えば所定のリセットピンを押圧した状態で新たに設定したい鍵を鍵穴に挿入し回動操作するなど、所定操作を行うことで、新たに設定したい鍵に合ったキーコードとすることができる。
【０００６】
ところが、シリンダ錠の故障時や鍵の紛失時などは勿論のこと、シリンダ錠の交換やキーコードの変更が適正に行われず、キーコードの設定ミスや設定し忘れ、シリンダ錠の不良などの問題を抱えたまま、遊技機本体を閉鎖した場合には、シリンダ錠を操作して遊技機本体を開放することができなくなる。
【０００７】
このような不具合が発生した場合、上記防護カバーが設けられていると、従来の対処方法のように遊技機背面側から鉤部材を手で動かして被係合部材との係合状態を解除することもできないため、遊技機本体を全く開放することができない状況に陥るおそれがある。
【０００８】
このため、一般的には、特開２００１−２２４８１２号公報に記載された発明のように、防護カバーを容易に取外し可能なように固定枠（外枠）に対しネジ等により固定する。
【０００９】
ところが、このように容易に取外し可能となっていると、不正解錠に対する防御性能が低下するおそれがある。
【００１０】
尚、かかる課題は、パチンコ機に限らず、扉体と固定枠とを施錠する施錠機構を備えた他の遊技機にも該当する問題である。
【００１１】
本発明は、上記例示した問題点などを解決するためになされたものであり、その目的は、不正解錠に対する十分な防御性能の確保と、メンテナンス性の向上との両立を図ることのできる遊技機を提供することにある。
【課題を解決するための手段】
【００１２】
上記の目的を達成するため、本発明に係る遊技機は、
矩形枠状に構成された固定枠と、
前記固定枠の前面側にて、当該固定枠を構成する上下左右の枠構成部のうちの左右両辺の枠構成部の一方側に開閉可能に支持された扉体と、
前記扉体に設けられ、前記固定枠の左右両辺の枠構成部の他方側にて当該固定枠に対し前記扉体を施錠する施錠装置とを備え、
前記施錠装置が、
鍵により操作される錠部材と、
少なくとも前記鍵の操作に応じた前記錠部材の動作に連動して、前記固定枠に設けられた被係合部材に対し係合されて前記扉体の開放を規制する係合位置と、前記被係合部材から離脱して前記扉体の開放を許容する非係合位置とに変位可能な鉤部材とを備えた遊技機において、
少なくとも前記固定枠の左右両辺のうちの前記他方側の枠構成部は、金属製材料により成形されるとともに、その内側面にて、前記施錠装置の背面側を覆うように、上下方向に沿って形成された突出壁部を備え、
前記突出壁部の前面側に取付けられ、前記被係合部材及びこれに係合される前記鉤部材を囲む第１カバー部材と、
前記突出壁部を挟み込むように、当該突出壁部の背面側から前記第１カバー部材に組付けられる第２カバー部材とを備え、
前記第２カバー部材を組付けることにより、前記第１カバー部材が前記突出壁部から取外し不能となることをその要旨としている。
【発明の効果】
【００１３】
本発明の遊技機によれば、不正解錠に対する十分な防御性能の確保と、メンテナンス性の向上との両立を図ることができるという優れた効果を奏する。
【発明を実施するための最良の形態】
【００１４】
以下、パチンコ遊技機（以下、単に「パチンコ機」という）の一実施形態を、図面に基づいて詳細に説明する。ここで、図１はパチンコ機１０の正面図であり、図２は斜視図であり、図３は右側面図である。また、図４は、内枠１２及び前面枠セット１４を開放した状態を示す斜視図である。但し、図４では便宜上、遊技盤３０面上に配設される釘や役物、前面枠セット１４に取付けられるガラスユニット１３７などを省略して示している。
【００１５】
図１乃至図４に示すように、パチンコ機１０は、当該パチンコ機１０の外郭を構成する固定枠としての外枠１１を備えており、この外枠１１の一側部に扉体としての内枠１２が開閉可能に支持されている。
【００１６】
ここで、外枠１１について図５を参照しつつ説明する。図５は外枠１１の全体を示す斜視図である。本実施形態における外枠１１は、上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組み付けられている。
【００１７】
左辺枠構成部１１ｃ及び右辺枠構成部１１ｄは、原料となるアルミニウム合金を高温・高圧下のもと所定断面形状で押出形成し、この押出成形材を所定寸法に切断し、切削加工等によりネジ止め用のネジ孔など細かい箇所を加工して得られる。従って、左辺枠構成部１１ｃ及び右辺枠構成部１１ｄは、それぞれ長手方向に略一様な断面形状となっている。なお、アルミニウム合金は、アルミニウムに、亜鉛、マグネシウム、銅、ニッケル、チタン、シリコン等、或いはそれらを任意に組み合わせたものを添加することにより形成される。
【００１８】
また、左辺枠構成部１１ｃの上下端部には、それぞれ上ヒンジ８１及び下ヒンジ８２が取着されている。当該上ヒンジ８１及び下ヒンジ８２にて、内枠１２の上下部が回動可能に支持されており、これにより内枠１２が開閉可能となる。
【００１９】
さらに、外枠１１の下辺枠構成部１１ｂには、樹脂製の幕板飾り８５が取着されている。幕板飾り８５の上面奥部には、上方に突出するリブ８８が一体形成されている。また、外枠１１の右辺枠構成部１１ｄの内側面前側にはリブ８９が形成されている。これらリブ８８，８９により、外枠１１と内枠１２の隙間からの線材等の進入を防止している。
【００２０】
加えて、右辺枠構成部１１ｄには、その後端部近傍にて外枠１１内側へ向け突出した突出壁部９０が形成されている。これにより、外枠１１裏側からの線材等の進入を防止している。また、突出壁部９０の突出側の端縁部は後方に向け略Ｌ字状に屈曲している（図３４等参照）。
【００２１】
突出壁部９０は、後述する施錠装置６００に対応する上下区間全域を内枠１２の背面側から覆っている。但し、突出壁部９０の突出量は、その端縁部が施錠装置６００の左右方向略中央部に達する程度となっている。そのため、図８，図３４等に示すように、パチンコ機１０の背面側から見た際、施錠装置６００の半分程度が視認可能な状態となっている。
【００２２】
また、図５に示すように、突出壁部９０の前面側には、施錠装置６００の内鉤部材６１３，６１４に対応して、上下一対の受け金具８３が取付けられている。そして、内枠１２の閉時においては、各受け金具８３に対して内鉤部材６１３，６１４が係止されることにより、内枠１２の開放が規制される（図２２等参照）。
【００２３】
なお、本実施形態では、上記ヒンジ８１，８２や受け金具８３として、アルミニウム合金製の外枠１１本体よりも剛性の高いステンレス合金等の鋼鉄製のものが採用されている。
【００２４】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００２５】
また、内枠１２の前面側には、前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００２６】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００２７】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００２８】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００２９】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００３０】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００３１】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図９参照）が設けられるとともに、当該スピーカＳＰの前側にスピーカカバー２４が取着されている。
【００３２】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００３３】
また、前面枠セット１４の右側部背面側には、後述する施錠装置６００の前鉤部材６１６，６１７，６１８に対応して、３つの受け金具９１，９２，９３が上下方向に沿って設けられている（図４参照）。そして、前面枠セット１４の閉時においては、前鉤部材６１６，６１７，６１８が受け金具９１，９２，９３に係止されることにより、前面枠セット１４の開放が規制される（図２３等参照）。
【００３４】
次に、内枠１２（樹脂ベース３８）について説明する。上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００３５】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００３６】
次に、遊技盤３０の構成について図６を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００３７】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００３８】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００３９】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００４０】
装飾図柄表示装置４２は液晶表示装置として構成されており、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００４１】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００４２】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００４３】
内レール構成部５１の先端部分（図６の左上部）には戻り球防止部材５３が取着されている。これにより、一旦、レール５０から遊技盤３０の上部へと案内された遊技球が再度レール５０内に戻ってしまうといった事態が防止される。
【００４４】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００４５】
次に、パチンコ機１０の背面の構成を図８に基づいて説明する。パチンコ機１０にはその背面（実際には内枠１２及び遊技盤３０の背面）において、各種制御基板が上下左右に並べられるようにして、一部前後に重ねられるようにして配置されており、さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００４６】
なお、第１制御基板ユニット２０１、第２制御基板ユニット２０２及び裏パックユニット２０３は、ユニット単位で工具等を用いずとも着脱できるよう構成されており、さらに、一部に支軸部を設けて内枠１２又は遊技盤３０の裏面に対して開閉できる構成となっている。
【００４７】
まず、遊技盤３０の背面構成について説明する。上述したように遊技盤３０の中央にはルータ加工によって形成された貫通穴に対して可変表示装置ユニット３５が配設されている。この可変表示装置ユニット３５に対し、センターフレーム４７を背後から覆う樹脂製のフレームカバー２１３が後方に突出して設けられている。さらに、フレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【００４８】
また、遊技盤３０の裏面には、可変表示装置ユニット３５を取り囲むようにして図示しない裏枠セットが取付けられている。この裏枠セットは、遊技盤３０の裏面に張り付くようにして設けられる薄型の樹脂成形品であって、各種入賞口に入賞した遊技球を回収するための球回収機構を備えている。また、内枠１２には、裏枠セット（遊技盤３０）の下方位置において排出通路盤２１７が取付けられており、該排出通路盤２１７には排出球をパチンコ機１０外部へ排出する排出シュート２１８が形成されている。従って、一般入賞口３１等に入賞した遊技球は何れも裏枠セットの球回収機構を介して集合し、さらに排出通路盤２１７の排出シュート２１８を介してパチンコ機１０外部に排出される。なお、アウト口３６も同様に排出シュート２１８に通じており、何れの入賞口にも入賞しなかった遊技球も排出シュート２１８を介してパチンコ機１０外部に排出される。
【００４９】
また、遊技盤３０の裏面には、各種入賞口などの遊技球の通過を検出する入賞感知機構（検出スイッチ）などが設けられている。入賞感知機構にて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【００５０】
第１制御基板ユニット２０１は、主制御装置２６１と、サブ制御装置２６２とを具備している。主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【００５１】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。
【００５２】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００５３】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００５４】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００５５】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００５６】
次に、裏パックユニット２０３の構成を説明する。裏パックユニット２０３は、樹脂成形された裏パック３５１と遊技球の払出機構部３５２とを一体化したものである。
【００５７】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する。但し、本実施形態では、前述のサブ制御装置２６２及び主制御装置２６１の一部も合わせて囲む構成となっている。
【００５８】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【００５９】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００６０】
次に、パチンコ機１０の電気的構成について説明する。図９は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【００６１】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【００６２】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【００６３】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【００６４】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【００６５】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【００６６】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【００６７】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００６８】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【００６９】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【００７０】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【００７１】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【００７２】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、ＣＰＵ５２１、プログラムＲＯＭ５２２、ワークＲＡＭ５２３、画像コントローラ５２６が接続されている。また、画像コントローラ５２６にはバスライン５３１を介して出力ポート５２９が接続されており、その出力ポート５２９には液晶表示装置たる装飾図柄表示装置４２が接続されている。
【００７３】
表示制御装置４５のＣＰＵ５２１は、サブ制御装置２６２から送信される表示コマンドに基づいて装飾図柄表示装置４２の表示を制御する。プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【００７４】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを所定のタイミングで読み出して装飾図柄表示装置４２に表示させるものである。
【００７５】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００７６】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【００７７】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００７８】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【００７９】
次に、内枠１２の施錠機構及び前面枠セット１４の施錠機構について説明する。本実施形態では、内枠１２は外枠１１に対し施錠され、前面枠セット１４は内枠１２に対し施錠される。これら両施錠機構は単一の施錠装置６００（図３等参照）によって具現化されている。後述するように施錠装置６００は、前面枠セット１４の前面側に露出するシリンダ錠７００（図１等参照）を備えており、該シリンダ錠７００の鍵穴７０２に鍵Ｋを挿入し、一方に回動操作することで内枠１２を解錠でき、他方に回動操作することで前面枠セット１４を解錠できるようになっている。
【００８０】
施錠装置６００について図１０乃至図１７を参照して詳しく説明する。ここで、図１０は、施錠装置６００を背面左側から見た斜視図であり、図１１は、施錠装置６００を正面左側から見た斜視図である。但し、図１０，１１では、便宜上、施錠装置６００に関連する外枠１１、内枠１２及び前面枠セット１４の関連部分も併せて模式的に図示している。また、図１２は、施錠装置６００の背面図であり、図１３は右側面図、図１４は左側面図、図１５は正面図である。但し、図１２〜１５では便宜上、後述するカムカバー７４０を省略している。図１６は、背面側から見た施錠装置６００の分解図であり、図１７は、側面側から見た施錠装置６００の分解図である。
【００８１】
施錠装置６００は、内枠１２の背面側左側辺部に沿って取付けられている（図７参照）。施錠装置６００の外郭を構成する縦長の基枠６０１は、内枠１２の背面部に固定される取付部としての取付板６０２と、当該取付板６０２の内枠１２内方側（窓孔３９側）の端縁から後方に突出した支持部としての支持板６０３とを備えており、これらが一体となって横断面略Ｌ字状をなしている。
【００８２】
但し、取付板６０２の内枠１２外方側縁部には、後方へ突出したフランジ部６０２ａが略全長にわたって設けられ、支持板６０３の後縁部には、内枠１２外方側へ突出したフランジ部６０３ａが複数箇所に設けられている。これらフランジ部６０２ａ，６０３ａは、後述する摺動杆６１０や各種鉤部材等の摺動動作の安定性を高めるガイド部としての機能を備えるとともに、基枠６０１内側への線材等の侵入を防ぎ、摺動杆６１０や各種鉤部材等に対する不正な解錠操作を防ぐ機能などを備えている。
【００８３】
取付板６０２には、内枠１２への取付固定用に複数の取付孔６０４が穿設されるとともに、後述する前鉤部材６１６，６１７，６１８の挿通用に上下方向３箇所に略矩形状の鉤挿通孔６０５，６０６，６０７が形成されている。さらに、各鉤挿通孔６０５，６０６，６０７の上方位置には、それぞれ後述する前ロック部材６１９，６２０，６２１が挿通されるロック挿通孔６６７，６６８，６６９が形成されている。
【００８４】
一方、内枠１２のうち、鉤挿通孔６０５，６０６，６０７に対応する部位には、連通孔９７，９８，９９が形成されている（図６参照）。そして、これら連通孔９７，９８，９９を介して、前鉤部材６１６，６１７，６１８が内枠１２前面側に突出している。また、各連通孔９７，９８，９９からは、前鉤部材６１６，６１７，６１８とともに、前ロック部材６１９，６２０，６２１も突出している。
【００８５】
さて、基枠６０１の内側には、摺動部材としての長尺状の摺動杆６１０、内枠１２施錠用の上下一対の内鉤部材６１３，６１４、各内鉤部材６１３，６１４に対応して設けられた内ロック部材６１５，６２３、前面枠セット１４施錠用の３つの前鉤部材６１６，６１７，６１８、各前鉤部材６１６，６１７，６１８に対応して設けられた前ロック部材６１９，６２０，６２１などが配設されている。なお、施錠装置６００を構成する基枠６０１、摺動杆６１０、内鉤部材６１３，６１４、内ロック部材６１５，６２３、前鉤部材６１６，６１７，６１８、前ロック部材６１９，６２０，６２１などの各部材は、金属平板をプレス成形等することにより形成されている。内鉤部材６１３，６１４が本実施形態における鉤部材に相当し、内ロック部材６１５，６２３がロック部材に相当する。
【００８６】
摺動杆６１０は、支持板６０３に沿って配設されており、上下方向に摺動可能となっている。
【００８７】
また、取付板６０２では、シリンダ錠７００の配置位置に対応する所定の上下区間が他部位より左右方向に幅広の幅広部６０２ｂとなっており、支持板６０３では、前記幅広部６０２ｂに対応する上下区間が内枠１２内方側へ膨出した膨出部６０３ｂとなっている。これは、遊技領域や各種制御基板等の設置スペースをより広く確保するために、施錠装置６００全体の横幅を極力狭くしつつ、シリンダ錠７００の配設位置においては、その設置スペースを確保するためである。また、摺動杆６１０も同様に、支持板６０３の膨出部６０３ｂに対応する部位が膨出している。但し、この摺動杆６１０の膨出部６１０ａの形成区間は、支持板６０３の膨出部６０３ｂの形成区間よりも短く設定されており、摺動杆６１０の摺動の妨げとならないようになっている。
【００８８】
ここで、まず内枠１２の施錠機構に関連する部分について詳しく説明する。内枠１２の施錠機構を構成する内鉤部材６１３，６１４は、摺動杆６１０の内枠１２外方側（図１０左手前側）に重畳するように配設されている。但し、内鉤部材６１３，６１４と、摺動杆６１０との間には、後述の内ロック部材６１５，６２３が介在している。
【００８９】
内鉤部材６１３，６１４は、主として摺動杆６１０と重畳する縦長の基部６１３ａ，６１４ａと、当該基部６１３ａ，６１４ａの上部から後方へ延びる突出部６１３ｂ，６１４ｂと、当該突出部６１３ｂ，６１４ｂの後端側において後方へ先細りするように設けられた略三角形状の頭部６１３ｃ，６１４ｃとから構成されている。頭部６１３ｃ，６１４ｃの下端部は、突出部６１３ｂ，６１４ｂより下方に突出しており、当該突出部分が後述するように係止部として機能する。
【００９０】
内鉤部材６１３，６１４に対応して、摺動杆６１０及び支持板６０３の上部及び下部には、それぞれ内ガイド孔６２５，６２６及び外ガイド孔６２７，６２８が形成されている。各ガイド孔６２５〜６２８は上下方向に長い長円状をなす。そして、これら摺動杆６１０の内ガイド孔６２５，６２６及び支持板６０３の外ガイド孔６２７，６２８に対し、支持板６０３の外側（内枠１２内方側）から差し込まれたガイドピン６３１，６３２が、後述する内ロック部材６１５，６２３のガイド孔６１５ｅ，６２３ｅを介して、内鉤部材６１３，６１４（基部６１３ａ，６１４ａの上部）に固定されている。これにより、内鉤部材６１３，６１４は、基枠６０１（支持板６０３）及び摺動杆６１０に対して、上下に相対変位可能に係合されるとともに、摺動杆６１０の摺動に連動して摺動可能となる。
【００９１】
なお、上述した支持板６０３側の複数のフランジ部６０３ａのうち、内鉤部材６１３，６１４に対応する位置に設けられたものには、当該内鉤部材６１３，６１４に対応する位置に溝部（凹部）６０３ｃが形成されている。そして、内鉤部材６１３，６１４のうち、突出部６１３ｂ，６１４ｂ及び頭部６１３ｃ，６１４ｃのみがこの溝部６０３ｃを介して支持板６０３より後方へ突出し、基部６１３ａ，６１４ａは、取付板６０２とフランジ部６０３ａとの間に収まった状態となっている。
【００９２】
上記構成により、内鉤部材６１３，６１４は、ガイドピン６３１，６３２により左右方向への動きを規制され、かつ、取付板６０２やフランジ部６０３ａにより前後方向への動きを規制されつつ、上下方向へ摺動できるようになっている。
【００９３】
次に内鉤部材６１３，６１４に対応して設けられた内ロック部材６１５，６２３について詳しく説明する。内ロック部材６１５，６２３は、内枠１２の施錠時において、不正な解錠操作による内鉤部材６１３，６１４の摺動変位を規制し、当該内鉤部材６１３，６１４を係止位置に維持することによって、内枠１２の不正な開放を防止するためのものである。
【００９４】
内ロック部材６１５，６２３は、縦長の縦片部６１５ａ，６２３ａと、当該縦片部６１５ａ，６２３ａの上端部近傍から後方に向け延出した上片部６１５ｂ，６２３ｂと、縦片部６１５ａ，６２３ａの下端部から後方に向け延出した下片部６１５ｃ，６２３ｃとを備えており、全体としては後方に向け凹となる側面視略コ字状に形成されている。
【００９５】
内ロック部材６１５，６２３は、内鉤部材６１３，６１４の内枠１２内方側に重畳するように配設されている。つまり、内鉤部材６１３，６１４と、摺動杆６１０との間に、内ロック部材６１５，６２３が配設されている。
【００９６】
内ロック部材６１５，６２３には、上片部６１５ｂ，６２３ｂにおいて軸孔６１５ｄ，６２３ｄが設けられるとともに、縦片部６１５ａ，６２３ａにおいてガイド孔６１５ｅ，６２３ｅが形成されている。ガイド孔６１５ｅ，６２３ｅは、軸孔６１５ｄ，６２３ｄを中心にとって略円弧状に形成されている。
【００９７】
また、内鉤部材６１３，６１４の突出部６１３ｂ，６１４ｂと頭部６１３ｃ，６１４ｃとの境界部近傍には、挿通孔６１３ｅ，６１４ｅが形成されている。そして、内枠１２外方側から挿通孔６１３ｅ，６１４ｅに対しそれぞれ差し込まれたガイドピン６３３，６３４が、内ロック部材６１５，６２３の軸孔６１５ｄ，６２３ｄに固定されている。
【００９８】
さらに、上述したように、上記ガイドピン６３１，６３２が、内ロック部材６１５，６２３のガイド孔６１５ｅ，６２３ｅを介して、内鉤部材６１３，６１４（基部６１３ａ，６１４ａの上部）に固定されている。これにより、内ロック部材６１５，６２３は、内鉤部材６１３，６１４に対し、軸孔６１５ｄ，６２３ｄ（ガイドピン６３３，６３４）を中心として回動変位可能に軸支されるとともに、内鉤部材６１３，６１４が上下方向に摺動する場合には、これに連動して上下方向に摺動することとなる。
【００９９】
また、内ロック部材６１５，６２３に対応して、支持板６０３側のフランジ部６０３ａには、内鉤部材６１３，６１４用の溝部６０３ｃの下方位置において、ロック挿通孔６０３ｄが形成されている。そして、このロック挿通孔６０３ｄを介して、内ロック部材６１５，６２３の下片部６１５ｃ，６２３ｃが支持板６０３より後方へ突出した状態となっている。
【０１００】
内ロック部材６１５，６２３の縦片部６１５ａ，６２３ａの上端部には、取付板６０２側すなわち前側において、内枠１２外方側へ屈曲形成されたフック部６１５ｆ，６２３ｆが形成されている。そして、このフック部６１５ｆ，６２３ｆに付勢部材（維持手段及び付勢手段）としてのコイルばねＣ１，Ｃ２の一端が掛けられるとともに、他端が、取付板６０２に設けられたフック部６３５，６３６に掛けられている。コイルばねＣ１，Ｃ２の引張力により、通常時には、内ロック部材６１５，６２３の上部前端側が下方かつ前方へ引っ張られ、内ロック部材６１５，６２３自身はもちろんのこと、これとともに上記ガイドピン６３１〜６３４やフック部６１５ｆ，６２３ｆ等を介して内鉤部材６１３，６１４が下方へ付勢されている。つまり、鉤部材６１３，６１４は、通常時、ガイドピン６３１，６３２が支持板６０３の外ガイド孔６２７，６２８の下縁部に当接した状態で保持される。また、この状態において、内ロック部材６１５，６２３は、ガイド孔６１５ｅ，６２３ｅの上縁部がガイドピン６３１，６３２に当接した状態となり、図２４に示すような基準姿勢をとる。
【０１０１】
また、内ロック部材６１５，６２３の縦片部６１５ａ，６２３ａの前縁部には、フック部６１５ｆ，６２３ｆよりも下方位置において、前方へ突出した突起部６１５ｇ，６２３ｇが形成さている。これに対応して、摺動杆６１０の前縁部には内枠１２外方側へ屈曲形成された前作用片６１０ｂ，６１０ｃが形成されている。そして、摺動杆６１０の前作用片６１０ｂ，６１０ｃが、内ロック部材６１５，６２３の突起部６１５ｇ，６２３ｇと接触可能となっている。さらに、これら突起部６１５ｇ，６２３ｇと前作用片６１０ｂ，６１０ｃとの形成位置に対応して、内鉤部材６１３，６１４の基部６１３ａ，６１４ａの前縁部には、切欠き凹部６１３ｄ，６１４ｄが形成されている。これにより、突起部６１５ｇ，６２３ｇの動作が妨げられないようになっている。
【０１０２】
また、内鉤部材６１３，６１４の基部６１３ａ，６１４ａの上端部には、内枠１２外方側へ屈曲形成されたガード部６１３ｆ，６１４ｆが形成されている。このガード部６１３ｆ，６１４ｆは、外部から内ロック部材６１５，６２３のフック部６１５ｆ，６２３ｆ側や突起部６１５ｇ，６２３ｇ側への線材等の進入を妨げ、これらに対し線材等を引っ掛けにくくするためのものである。
【０１０３】
なお、内鉤部材６１３，６１４の摺動範囲のうち、ガイドピン６３１，６３２が、支持板６０３の外ガイド孔６２７，６２８の下縁部に当接する位置が、内鉤部材６１３，６１４が各受け金具８３に係止される位置となる。つまり、この位置が、内鉤部材６１３，６１４の係合位置（基準位置）に相当する。これに対し、ガイドピン６３１，６３２が、支持板６０３の外ガイド孔６２７，６２８の上縁部に当接する位置が、内鉤部材６１３，６１４が各受け金具８３から離脱する位置となる。つまり、この位置が、内鉤部材６１３，６１４の非係合位置に相当する。
【０１０４】
ここで、受け金具８３及びこれに組付けられる樹脂カバー８０１の構成について、図２９〜図３４を参照して詳しく説明する。受け金具８３は本実施形態における第１カバー部材を構成し、樹脂カバー８０１は第２カバー部材を構成する。
【０１０５】
ここで、図２９は、受け金具８３及び樹脂カバー８０１を正面左側から見た分解斜視図であり、図３０は、正面右側から見た分解斜視図である。また、図３１は、受け金具８３及び樹脂カバー８０１を背面左側から見た分解斜視図であり、図３２は、背面右側から見た分解斜視図である。図３３は、組付け状態の受け金具８３及び樹脂カバー８０１を示すものであり、（ａ）はそれを正面左側から見た斜視図であり、（ｂ）は背面右側から斜視図である。図３４は、図３のＫ−Ｋ線部分断面図である。
【０１０６】
受け金具８３は、金属板を折り曲げ形成することにより、全体として後方が開口した略箱状に形成されている。受け金具８３は、上下・左右方向に沿って配設される略平板状の前壁部８３ａと、当該前壁部８３ａの上下左右の縁部からそれぞれ後方向へ延出した上壁部８３ｂ、下壁部８３ｃ、左壁部８３ｄ及び右壁部８３ｅとを備えている。これら上下左右の壁部８３ｂ〜８３ｅにより本実施形態における周壁部が構成される。
【０１０７】
さらに、上壁部８３ｂの後端縁部には、当該縁部から上方へ延出したフランジ状の取付部８３ｆが形成されている。同様に、下壁部８３ｃの後端縁部には、当該縁部から下方へ延出したフランジ状の取付部８３ｇが形成されている。各取付部８３ｆ，８３ｇには、ネジ孔８３ｈが形成されている。そして、受け金具８３は、外枠１１の突出壁部９０の前壁面に各取付部８３ｆ，８３ｇを当接させた状態で、ネジ孔８３ｈに対し外枠１１の突出壁部９０の背面側から当該突出壁部９０のネジ孔９０ａ〔図３５（ｅ）参照〕を介して固定手段としてのネジ７９９が螺着されることにより固定される（図３３参照）。
【０１０８】
受け金具８３だけが突出壁部９０に取付けられた状態では、受け金具８３の後側の開口部は、その大部分が突出壁部９０によって覆われた状態となるが、背面側から見て右側の３分の１程度は開口した状態のままとなる。
【０１０９】
また、受け金具８３が突出壁部９０に取付けられた状態では、右壁部８３ｅが外枠１１の右辺枠構成部１１ｄの本体部内側面に略当接状態となる（図３４参照）。なお、本実施形態における右壁部８３ｅの前後方向の延出長は、他の壁部（上壁部８３ｂ、下壁部８３ｃ及び左壁部８３ｄ）よりも短く、これらの３分の１程度となっている。従って、受け金具８３の右側面においても、右壁部８３ｅの後端部位置から、上壁部８３ｂ及び下壁部８３ｃの後端部位置にかけて開口した構成となるが、当該開口部は、右辺枠構成部１１ｄの本体部内側面によって塞がれることとなる。
【０１１０】
さて、前壁部８３ａには、内鉤部材６１３，６１４が進入する鉤孔部８３ｊを有している。内鉤部材６１３，６１４は、鉤孔部８３ｊを介して受け金具８３内に進入した状態で、当該前壁部８３ａの裏側にて係止される。
【０１１１】
さらに、前壁部８３ａには、鉤孔部８３ｊの下方位置にてロック孔部８３ｐが形成されている。そして、内鉤部材６１３，６１４が受け金具８３に係合した状態では、内ロック部材６１５，６２３の下片部６１５ｃ，６２３ｃがロック孔部８３ｐに挿入された状態となる（図２２等参照）。また、ロック孔部８３ｐの下辺部には、前方へ突出形成されたガード部８３ｑが形成されている。このガード部８３ｑは、内ロック部材６１５，６２３の下片部６１５ｃ，６２３ｃに対し線材等を引っ掛けにくくするためのものである。
【０１１２】
内鉤部材６１３，６１４が各受け金具８３に係合された状態では、内鉤部材６１３，６１４の頭部６１３ｃ，６１４ｃや内ロック部材６１５，６２３の下片部６１５ｃ，６２３ｃの先端部の周囲が、受け金具８３の各壁部８３ａ〜８３ｅによって囲まれた状態となる。従って、受け金具８３は、被係合部材としての機能と、被覆部材（第１カバー部材）としての機能を併せ持つこととなる。これにより、受け金具８３に係止される内鉤部材６１３，６１４や内ロック部材６１５，６２３に対し、線材等を引っ掛けにくくなるため、不正解錠に対する防御性能の向上を図ることができる。
【０１１３】
その効果を高めるために、本実施形態では、さらに受け金具８３の後側の開口部と突出壁部９０との隙間を塞ぐ樹脂カバー８０１を備えている。
【０１１４】
樹脂カバー８０１は、例えばポリカーボネート等の硬質樹脂材料により一体形成されている。
【０１１５】
樹脂カバー８０１は、突出壁部９０の端縁部左側面に沿って配設される縦長の縦壁部８０１ａと、縦壁部８０１ａの後端右側の上下２箇所においてそれぞれ当該縦壁部８０１ａに連接形成された被覆部としての被覆壁部８０１ｂと、縦壁部８０１ａの前端左側の上下２箇所においてそれぞれ当該縦壁部８０１ａに連接形成された前壁部８０１ｃとを備えている。
【０１１６】
各前壁部８０１ｃは、受け金具８３と樹脂カバー８０１の組付け時において、受け金具８３の各取付部８３ｆ，８３ｇに当接するように構成されており、その前面側には円柱状の係合突部８０１ｄが突出形成されている。これに対応して、受け金具８３の各取付部８３ｆ，８３ｇには、各係合突部８０１ｄが嵌め込まれる係合孔部８３ｋが形成されている。
【０１１７】
縦壁部８０１ａ（前壁部８０１ｃ）の左側には、上下の前壁部８０１ｃの間の区間において、上下方向に沿って受け部８０１ｅが形成されている。
【０１１８】
受け部８０１ｅは、前面側が開口した断面略コ字状をなす。そして、受け金具８３と樹脂カバー８０１の組付け時においては、当該受け部８０１ｅに対し、受け金具８３の左壁部８３ｄの後端縁部が差し込まれる。これにより、受け金具８３内への線材等の進入が防がれる。
【０１１９】
受け部８０１ｅの右側壁部には、前方に向けて延出した係止片８０１ｆが上下２箇所に形成されている。また、各係止片８０１ｆの先端部には、左方へ突出する係止爪が設けられている。これに対応して、受け金具８３の左壁部８３ｄには、各係止片８０１ｆの係止爪が係止される係止孔部８３ｍがそれぞれ設けられている。
【０１２０】
受け部８０１ｅの後壁部は、縦壁部８０１ａとの隙間を埋めるように、当該縦壁部８０１ａに連接されており、ほぼ縦壁部８０１ａの前端位置から後端位置にかけて傾斜した構成となっている。なお、本実施形態では、各係止片８０１ｆ（係止爪）を型成形する都合上、金型等との関係で、受け部８０１ｅの後壁部には、各係止片８０１ｆに対応して孔部が形成されているが、勿論、このような孔部が形成されない構成としてもよい。
【０１２１】
また、受け部８０１ｅの上壁部や下壁部に関しても、縦壁部８０１ａや前壁部８０１ｃとの隙間を埋めるように、当該縦壁部８０１ａや前壁部８０１ｃに連接形成されている。
【０１２２】
一方、各被覆壁部８０１ｂは、突出壁部９０のネジ孔９０ａに対応する位置に設けられており、少なくとも受け金具８３を固定しているネジ７９９の頭部７９９ａを背面側より覆う範囲に設けられている。
【０１２３】
各被覆壁部８０１ｂは、その周囲よりも中央部が前方に凸となった断面略凸型形状をなす。そして、この凸部の前面側には、前方に向けて突出した係止片８０１ｇを備えている。
【０１２４】
各係止片８０１ｇの先端部には、カバー外方（上方又は下方）へ突出する係止爪が設けられている。これに対応して、突出壁部９０には、ネジ孔９０ａの近傍において、各係止片８０１ｇを挿通させるための貫通孔９０ｂが形成されるとともに〔図３５（ｄ）参照〕、受け金具８３の上壁部８３ｂ及び下壁部８３ｃには、各係止片８０１ｇの係止爪が係止される係止孔部８３ｎがそれぞれ設けられている。なお、本実施形態では、各係止片８０１ｇ（係止爪）を型成形する都合上、金型等との関係で、被覆壁部８０１ｂの略中央の凸部には、各係止片８０１ｇに対応して孔部が形成されているが、勿論、このような孔部が形成されない構成としてもよい。
【０１２５】
また、被覆壁部８０１ｂの左右両側辺部には、前方へ延出した側壁部８０１ｈが形成されている。そして、受け金具８３と樹脂カバー８０１の組付け時においては、左右の側壁部８０１ｈが、突出壁部９０の背面側に当接した状態となる。この際、被覆壁部８０１ｂの本体は、突出壁部９０には当接せず、両者間にはマイナスドライバー等の工具Ｇ１（図３５等参照）を斜め後方から差込み可能な程度の僅かな隙間が形成される。
【０１２６】
側壁部８０１ｈのうち、係止片８０１ｇよりもカバー外方側（上側又は下側）に位置する部位は、その前端縁が面取りされ、突出壁部９０に対し傾斜しており、カバー外方側に向け先細りしている。つまり、各係止片８０１ｇの係止爪が突出した側と同じ側が傾斜している。これは、後述するように、工具Ｇ１による被覆部８０１ｂの切除作業を行いやすくするためである。
【０１２７】
被覆壁部８０１ｂは、連結部としての複数の破断部８０１ｒによって、縦壁部８０１ａと連結されている。そして、破断部８０１ｒが切断されることにより、被覆壁部８０１ｂは、縦壁部８０１ａから切離される。この被覆壁部８０１ｂは、後述するように鍵Ｋを用いずに内枠１２を開放する際に切除されることとなる。
【０１２８】
次に受け金具８３と樹脂カバー８０１との組付け手順について説明する。先ず受け金具８３だけを外枠１１の右辺枠構成部１１ｄの突出壁部９０の前面側に取付ける。詳しくは、受け金具８３の各取付部８３ｆ，８３ｇのネジ孔８３ｈを突出壁部９０のネジ孔９０ａに位置合わせした状態で、突出壁部９０の背面側からネジ７９９を螺着することにより固定する。
【０１２９】
続いて、突出壁部９０の背面側より樹脂カバー８０１を取付ける。先ず受け金具８３の左壁部８３ｄと突出壁部９０の端縁部との隙間に対し受け部８０１ｅの各係止片８０１ｆを差し込んでいくとともに、突出壁部９０の貫通孔９０ｂに対し各被覆壁部８０１ｂの係止片８０１ｇを挿通させていく。そして、各係止片８０１ｆ，８０１ｇを弾性変形させつつ押し込んでいくと、所定位置に達したところで、各係止片８０１ｆ，８０１ｇが復元し、係止爪が受け金具８３の係止孔部８３ｍ，８３ｎに係止される。同時に、樹脂カバー８０１の受け部８０１ｅに受け金具８３の左壁部８３ｄが差し込まれ、突出壁部９０の端縁部が、縦壁部８０１ａと被覆壁部８０１ｂとの間に差し込まれ、破断部８０１ｒに略当接した状態となる。また、被覆壁部８０１ｂも、突出壁部９０の端縁部と、右辺枠構成部１１ｄの後端縁部との間に嵌り込んだ状態となる。これにより受け金具８３及び樹脂カバー８０１の組付けが完了する。
【０１３０】
一旦、樹脂カバー８０１が組付けられると、各被覆壁部８０１ｂにより受け金具８３を固定しているネジ７９９の頭部７９９ａが背面側より覆われ、当該ネジ７９９の頭部７９９ａの工具係合部（十字溝）に所定の工具（プラスドライバー等）を係合できない状態となり、ネジ７９９の取外しができなくなる。つまり、樹脂カバー８０１（被覆壁部８０１ｂ）を破壊等しない限り、受け金具８３を取外せない状態となる。
【０１３１】
次に、前面枠セット１４の施錠機構に関連する部分について説明する。前面枠セット１４の施錠機構を構成する上記前鉤部材６１６，６１７，６１８は、摺動杆６１０の内枠１２外方側において、上記取付板６０２の鉤挿通孔６０５，６０６，６０７に対応して上部、中部及び下部の３箇所に配設されている。
【０１３２】
前鉤部材６１６，６１７，６１８は、主として摺動杆６１０と重畳する縦長の基部６１６ａ，６１７ａ，６１８ａと、当該基部６１６ａ，６１７ａ，６１８ａから前方に突出した突出部６１６ｂ，６１７ｂ，６１８ｂと、当該突出部６１６ｂ，６１７ｂ，６１８ｂの前端側において前方へ先細りするように設けられた略三角形状の頭部６１６ｃ，６１７ｃ，６１８ｃとから構成されている。
【０１３３】
上述したように取付板６０２には、前鉤部材６１６，６１７，６１８に対応して鉤挿通孔６０５，６０６，６０７が形成されており、当該鉤挿通孔６０５，６０６，６０７から、突出部６１６ｂ，６１７ｂ，６１８ｂ及び頭部６１６ｃ，６１７ｃ，６１８ｃのみが前方に突出している。また、頭部６１６ｃ，６１７ｃ，６１８ｃの上端部は、突出部６１６ｂ，６１７ｂ，６１８ｂより上方に突出しており、当該突出部分が後述するように係止部として機能する。
【０１３４】
また、前鉤部材６１６，６１７，６１８に対応して、摺動杆６１０及び支持板６０３の上部、中部及び下部には、それぞれ内ガイド孔６４５，６４６，６４７及び外ガイド孔６４８，６４９，６５０が形成されている。各ガイド孔６４５〜６５０は上下方向に長い長円状をなす。そして、摺動杆６１０の内ガイド孔６４５，６４６，６４７及び支持板６０３の外ガイド孔６４８，６４９，６５０に対し、支持板６０３の外側（内枠１２内方側）から差し込まれたガイドピン６５１，６５２，６５３が、後述する前ロック部材６１９，６２０，６２１のガイド孔６１９ｅ，６２０ｅ，６２１ｅを介して、前鉤部材６１６，６１７，６１８に固定されている。これにより、前鉤部材６１６，６１７，６１８は、基枠６０１（支持板６０３）及び摺動杆６１０に対して、上下に相対変位可能に係合されるとともに、摺動杆６１０の摺動に連動して摺動可能となる。
【０１３５】
上記構成により、前鉤部材６１６，６１７，６１８は、上記ガイドピン６５１，６５２，６５３により左右方向への動きを規制され、かつ、取付板６０２やフランジ部６０３ａにより前後方向への動きを規制されつつ、上下方向へ摺動できるようになっている。
【０１３６】
次に各前鉤部材６１６，６１７，６１８に対応して設けられた前ロック部材６１９，６２０，６２１について詳しく説明する。前ロック部材６１９，６２０，６２１は、前面枠セット１４の施錠時において、不正な解錠操作による前鉤部材６１６，６１７，６１８の摺動変位を規制し、当該前鉤部材６１６，６１７，６１８を係合位置に維持することによって、前面枠セット１４の不正な開放を防止するためのものである。
【０１３７】
前ロック部材６１９，６２０，６２１は、前鉤部材６１６，６１７，６１８の内枠１２内方側に重畳するように配設されている。つまり、前鉤部材６１６，６１７，６１８と、摺動杆６１０との間に、前ロック部材６１９，６２０，６２１が配設されている。
【０１３８】
前ロック部材６１９，６２０，６２１は、縦長の縦片部６１９ａ，６２０ａ，６２１ａと、当該縦片部６１９ａ，６２０ａ，６２１ａの上端部近傍から前方に突出した上片部６１９ｂ，６２０ｂ，６２１ｂと、縦片部６１９ａ，６２０ａ，６２１ｂの下端部から前方に突出した下片部６１９ｃ，６２０ｃ，６２１ｃとを備えており、全体としては前方に向け凹となる側面視略コ字状に形成されている。
【０１３９】
前ロック部材６１９，６２０，６２１には、下片部６１９ｃ，６２０ｃ，６２１ｃにおいて軸孔６１９ｄ，６２０ｄ，６２１ｄが設けられるとともに、縦片部６１９ａ，６２０ａ，６２１ａにおいてガイド孔６１９ｅ，６２０ｅ，６２１ｅが形成されている。ガイド孔６１９ｅ，６２０ｅ，６２１ｅは、軸孔６１９ｄ，６２０ｄ，６２１ｄを中心にとって略円弧状に形成されている。
【０１４０】
また、前鉤部材６１６，６１７，６１８の突出部６１６ｂ，６１７ｂ，６１８ｂと頭部６１６ｃ，６１７ｃ，６１８ｃとの境界部近傍には、挿通孔６１６ｈ，６１７ｈ，６１８ｈが形成されている。そして、内枠１２外方側から挿通孔６１６ｈ，６１７ｈ，６１８ｈに対しそれぞれ差し込まれたガイドピン６５７，６５８，６５９が、前ロック部材６１９，６２０，６２１の軸孔６１９ｄ，６２０ｄ，６２１ｄに固定されている。
【０１４１】
さらに、上述したように、上記ガイドピン６５１，６５２，６５３が、前ロック部材６１９，６２０，６２１のガイド孔６１９ｅ，６２０ｅ，６２１ｅを介して、前鉤部材６１６，６１７，６１８（基部６１６ａ，６１７ａ，６１８ａ）に固定されている。これにより、前ロック部材６１９，６２０，６２１は、前鉤部材６１６，６１７，６１８に対し、軸孔６１９ｄ，６２０ｄ，６２１ｄ（ガイドピン６５７，６５８，６５９）を中心として回動変位可能に軸支されるとともに、前鉤部材６１６，６１７，６１８が上下方向に摺動する場合には、これに連動して上下方向に摺動することとなる。
【０１４２】
上述したように、取付板６０２には、前ロック部材６１９，６２０，６２１に対応してロック挿通孔６６７，６６８，６６９が形成されており、当該ロック挿通孔６６７，６６８，６６９を介して、上片部６１９ｂ，６２０ｂ，６２１ｂのみが、取付板６０２より前方へ突出した状態となっている。
【０１４３】
前ロック部材６１９，６２０，６２１の縦片部６１９ａ，６２０ａ，６２１ａには、前縁側（取付板６０２側）の略中央部においてフック部６１９ｆ，６２０ｆ，６２１ｆが形成されている。そして、このフック部６１９ｆ，６２０ｆ，６２１ｆに、前鉤部材６１６，６１７，６１８の切欠き凹部６１６ｊ，６１７ｊ，６１８ｊを介して、付勢部材としてのコイルばねＣ３，Ｃ４，Ｃ５の一端が掛けられるとともに、他端が、取付板６０２に設けられたフック部６３７，６３８，６３９に掛けられている。コイルばねＣ３，Ｃ４，Ｃ５の引張力により、通常時には、前ロック部材６１９，６２０，６２１の前端側が上方かつ前方へ引っ張られ、前ロック部材６１９，６２０，６２１自身はもちろんのこと、これとともに上記ガイドピン６５１〜６５３、ガイドピン６５７〜６５９やフック部６１９ｆ，６２０ｆ，６２１ｆ等を介して前鉤部材６１６，６１７，６１８が上方へ付勢される。つまり、前鉤部材６１６，６１７，６１８は、通常時、ガイドピン６５１，６５２，６５３が支持板６０３の外ガイド孔６４８，６４９，６５０の上縁部に当接した状態で保持される。また、この状態において、前ロック部材６１９，６２０，６２１は、ガイド孔６１９ｅ，６２０ｅ，６２１ｅの下縁部がガイドピン６５１，６５２，６５３に当接した状態となり、図２４に示すような基準姿勢をとる。
【０１４４】
また、前ロック部材６１９，６２０，６２１の縦片部６１９ａ，６２０ａ，６２１ａの下端部後側には後方へ突出した突起部６１９ｇ，６２０ｇ，６２１ｇが形成さている。これに対応して、摺動杆６１０の後縁部には内枠１２外方側へ屈曲形成された後作用片６１０ｄ，６１０ｅ，６１０ｆが形成されている。そして、摺動杆６１０の後作用片６１０ｄ，６１０ｅ，６１０ｆが、前ロック部材６１９，６２０，６２１の突起部６１９ｇ，６２０ｇ，６２１ｇと接触可能となっている。さらに、これら突起部６１９ｇ，６２０ｇ，６２１ｇと後作用片６１０ｄ，６１０ｅ，６１０ｆとの形成位置に対応して、前鉤部材６１６，６１７，６１８の基部６１６ａ，６１７ａ，６１８ａの後縁部には、内枠１２外方側へ膨出した膨出凹部６１６ｇ，６１７ｇ，６１８ｇが形成されている。これにより、摺動杆６１０の後作用片６１０ｄ，６１０ｅ，６１０ｆの動作が妨げられないようになっている。膨出凹部６１６ｇ，６１７ｇ，６１８ｇは、ガード部としての機能と有しており、外部から前ロック部材６１９，６２０，６２１の突起部６１９ｇ，６２０ｇ，６２１ｇ側への線材等の進入を妨げ、これらに対し線材等を引っ掛けにくくしている。
【０１４５】
なお、前鉤部材６１６，６１７，６１８の摺動範囲のうち、ガイドピン６５１，６５２，６５３が、支持板６０３の外ガイド孔６４８，６４９，６５０の上縁部に当接する位置が、前鉤部材６１６，６１７，６１８が受け金具９１，９２，９３に係止される位置となる。つまり、この位置が、前鉤部材６１６，６１７，６１８の係合位置（基準位置）に相当する。
【０１４６】
これに対し、ガイドピン６５１，６５２，６５３が、支持板６０３の外ガイド孔６４８，６４９，６５０の下縁部に当接する位置が、前鉤部材６１６，６１７，６１８が受け金具９１，９２，９３から離脱する位置となる。つまり、この位置が、前鉤部材６１６，６１７，６１８の非係合位置に相当する。
【０１４７】
ここで、受け金具９１，９２，９３の構成について詳しく説明する。受け金具９１，９２，９３は、前面枠セット１４の背面側に固定される取付部９１ａ，９２ａ，９３ａと、当該取付部９１ａ，９２ａ，９３ａから後方へ延出した延出部９１ｂ，９２ｂ，９３ｂ、当該延出部９１ｂ，９２ｂ，９３ｂの後端部から前面枠セット１４の内方側へ延出し、前鉤部材６１６，６１７，６１８が係合される係合部９１ｃ，９２ｃ，９３ｃとを備えている。
【０１４８】
また、取付部９１ａ，９２ａ，９３ａには、前鉤部材６１６，６１７，６１８に対応して、差込み孔９１ｄ，９２ｄ，９３ｄが形成されており、前鉤部材６１６，６１７，６１８が受け金具９１，９２，９３に係合された際には、前鉤部材６１６，６１７，６１８の頭部６１６ｃ，６１７ｃ，６１８ｃの先端が差込み孔９１ｄ，９２ｄ，９３ｄに差し込まれた状態となる（図２３参照）。
【０１４９】
また、受け金具９１，９２，９３の係合部９１ｃ，９２ｃ，９３ｃには、前ロック部材６１９，６２０，６２１に対応して挿通孔９１ｅ，９２ｅ，９３ｅが形成されており、前鉤部材６１６，６１７，６１８が受け金具９１，９２，９３に係合された際には、前ロック部材６１９，６２０，６２１の上片部６１９ｂ，６２０ｂ，６２１ｂが挿通孔９１ｅ，９２ｅ，９３ｅに挿通された状態となる（図２３参照）。
【０１５０】
また、摺動杆６１０は、通常時、内ガイド孔６２５，６２６の下縁部が支持板６０３の外ガイド孔６２７，６２８の下縁部と略同一高さ位置となる位置で、かつ、内ガイド孔６４５，６４６，６４７の上縁部が支持板６０３の外ガイド孔６４８，６４９，６５０の上縁部と略同一高さ位置となる位置において保持されている。この位置が摺動杆６１０の基準位置に相当する。摺動杆６１０が基準位置にある場合には、内ガイド孔６２５，６２６の下縁部が内鉤部材６１３，６１４のガイドピン６３１，６３２と係合すること、つまりコイルばねＣ１，Ｃ２の引張力によって、上方への動作が抑えられた状態にあるとともに、内ガイド孔６４５，６４６，６４７の上縁部が前鉤部材６１６，６１７，６１８のガイドピン６５１，６５２，６５３と係合すること、つまりコイルばねＣ３，Ｃ４，Ｃ５の引張力によって、下方への動作が抑えられた状態にある。そして、後述するシリンダ錠７００が操作された場合には、コイルばねＣ１等の引張力に抗して上方又は下方へ摺動変位する。
【０１５１】
さて、取付板６０２の幅広部６０２ｂには、錠部材としてのシリンダ錠７００が取付けられており、その前面側は前面枠セット１４の前面側に露出している。
【０１５２】
図１８に示すように、シリンダ錠７００は、略筒状をなすシリンダ本体７０１と、シリンダ本体７０１内部に設けられ、内部に鍵穴７０２を有してなる錠軸７０３と、シリンダ本体７０１の外周に設けられた外筒７０４とを備えている。
【０１５３】
シリンダ錠７００は、取付板６０２の取付孔６０２ｃに対しシリンダ本体７０１を挿通した状態で、フランジ部７０５を取付板６０２の背面側にネジ止めすることにより固定されている。
【０１５４】
シリンダ本体７０１には、該シリンダ本体７０１の内外を連通する上下８つずつ、合計１６個の透孔７０６が形成されている。これに対応して、錠軸７０３にも、各透孔７０６と連通する１６個の透孔７０８が形成されている。かかる透孔７０８の鍵穴７０２側は、後述するピン７１４等の収容部材が鍵穴７０２内に脱落しないように他の部位よりも小径に形成されている。
【０１５５】
各透孔７０６内には、それぞれバネ７０９が収容されている。バネ７０９の一端は前記外筒７０４に当接し、他端には台座７１１が連結されている。また、各透孔７０８内には、前記台座７１１に支持されるようにして、複数のスペーサ７１２，７１３及びピン７１４が収容されている。そして、これらピン７１４、スペーサ７１２，７１３、台座７１１は、バネ７０９の伸縮によって各透孔７０６，７０８内を上下動可能となっている。このうち、ピン７１４は、前記透孔７０８の鍵穴７０２側の小径部を介して鍵穴７０２内に出没可能となっている。
【０１５６】
上記構成により、鍵穴７０２内への鍵Ｋの挿入時には、当該鍵Ｋの上下両側の凹凸形状に沿って各ピン７１４等が上下動する。そして、鍵Ｋの挿入完了状態にあっては、図１９に示すように各ピン７１４がそれぞれ鍵Ｋの溝に入り込んだ状態となり、ピン７１４の基端面、又は、スペーサ７１２若しくは７１３の一方の端面と、錠軸７０３の外周面とが面一になる。これにより、鍵Ｋの挿入完了状態にあっては、鍵Ｋの回動操作に伴って錠軸７０３が回動可能となる。つまり、このシリンダ錠７００は、少なくとも鍵穴７０２に鍵Ｋを差し込まない限り錠軸７０３を回動させることができない内部構造となっている。
【０１５７】
また、錠軸７０３の後端部には、鍵穴７０２に挿入された鍵Ｋの回動動作を摺動杆６１０に伝達する係合部材としてのカム板７２０が固定されている。
【０１５８】
カム板７２０は、上下一対の上係合爪７２０ａ及び下係合爪７２０ｂを備えている。これらの係合爪７２０ａ，７２０ｂは、カム板７２０の回動方向に所定間隔を置いて形成されている。
【０１５９】
これに合わせて、摺動杆６１０の膨出部６１０ａには、上係合爪７２０ａが出入可能な上係合孔７２５と、下係合爪７２０ｂが出入可能な下係合孔７２６とが形成されている。また、支持板６０３には、両係合爪７２０ａ，７２０ｂの動作を妨げないように透孔７３０が形成されている。
【０１６０】
上記構成のもと、シリンダ錠７００の鍵穴７０２に鍵Ｋが差し込まれていない状態で、錠軸７０３及びカム板７２０が基準位置にある場合には、図１０に示すように、上係合爪７２０ａの先端が、摺動杆６１０の上係合孔７２５に挿通状態となるとともに、下係合爪７２０ｂの先端が、摺動杆６１０の下係合孔７２６に挿通状態となる。
【０１６１】
また、上述したように、本実施形態のシリンダ錠７００は、鍵穴７０２に鍵Ｋの挿入がない場合には錠軸７０３及びカム板７２０を回動させることができない状態（変位不能となるロック状態）となるため、カム板７２０が基準位置にある場合には、係合爪７２０ａ，７２０ｂにより摺動杆６１０の摺動が規制されることとなる。例えば、仮に鍵Ｋを用いずに、基準位置にある摺動杆６１０に対し線材等を不正に引っ掛けて、当該摺動杆６１０に対し解錠方向への外力がかけられた場合には、係合爪７２０ａ，７２０ｂが摺動杆６１０の係合孔７２５，７２６の縁部に引っ掛かり、摺動杆６１０の解錠方向への摺動変位が、係合孔７２５等の遊び長を除き実質的に規制される。
【０１６２】
また、施錠装置６００には、シリンダ錠７００の背面側を覆うようにしてカムカバー７４０がネジ等の固定手段により取付固定されている。カムカバー７４０によって、カム板７２０と摺動杆６１０との係合部が覆われるとともに、摺動杆６１０の膨出部６１０ａ略全体（上下の段差部を含む）が覆われている。
【０１６３】
次に、施錠装置６００の作用について詳しく説明する。先ず内枠１２の施錠及び解錠について詳しく説明する。内枠１２の施錠状態においては、摺動杆６１０が基準位置をとることにより、上述したように外枠１１の内側に固定された各受け金具８３に対して内鉤部材６１３，６１４の頭部６１３ｃ，６１４ｃが係止され、内枠１２の開放が規制されている（図２２，２４参照）。なお、内鉤部材６１３，６１４が各受け金具８３に係合された状態では、内ロック部材６１５，６２３の下片部６１５ｃ，６２３ｃがロック孔部８３ｐに挿通された状態となる（図２２参照）。但し、図２２では、便宜上、樹脂カバー８０１を取外した状態での部分断面図が示されている。
【０１６４】
仮に、内枠１２の開放状態において、係止位置にある内鉤部材６１３（６１４）の突出部６１３ｂ（６１４ｂ）や頭部６１３ｃ（６１４ｃ）に対し線材等を引っ掛けて、摺動杆６１０を介さず、内鉤部材６１３（６１４）に対し解錠方向（上方）への外力がかけられると、図２５に示すように内鉤部材６１３（６１４）が上方へ摺動するとともに、これに連動して内ロック部材６１５（６２３）が上方へ摺動する。この際、内ロック部材６１５（６２３）は、コイルばねＣ１（Ｃ２）の引張力により取付板６０２側（前方かつ下方）へ引き付けられるため、通常時の基準姿勢を維持しつつ上方へ摺動する。この基準姿勢を維持した状態が本実施形態における内ロック部材６１５（６２３）の第１状態に相当する。
【０１６５】
従って、内枠１２の施錠状態において、鍵Ｋを用いることなく、係止位置にある内鉤部材６１３（６１４）に対し線材等を引っ掛かける等して不正に上記同様の解錠操作を行った場合には、内ロック部材６１５（６２３）の下片部６１５ｃ（６２３ｃ）が受け金具８３の前壁部８３ａに引っ掛かることとなる。つまり、内鉤部材６１３（６１４）を解錠方向へ摺動させようとしても、その動きは、ロック孔部８３ｐ等の遊び分を除き実質的に規制される。もちろん、ロック孔部８３ｐの遊び量は、内ロック部材６１５（６２３）の下片部６１５ｃ（６２３ｃ）が受け金具８３の前壁部８３ａに当接した状態でも、内鉤部材６１３（６１４）の頭部６１３ｃ（６１４ｃ）が受け金具８３から離脱しない程度に設定されている。結果として、内鉤部材６１３（６１４）は非係止位置まで変位せず、内枠１２の開放は許容されない。
【０１６６】
正規に内枠１２を解錠する際には、シリンダ錠７００の鍵穴７０２に挿入した鍵Ｋを図１における時計回り方向に回動させる。これにより、図２０（ａ），（ｂ）に示すように、カム板７２０が同方向に回動して、下係合爪７２０ｂが摺動杆６１０の下係合孔７２６の上縁部に接触し、当該下係合爪７２０ｂに押上げられるようにして摺動杆６１０が上方に摺動する。
【０１６７】
摺動杆６１０が上方へ摺動すると、図２６（ａ）に示すように、まず摺動杆６１０の前作用片６１０ｂ（６１０ｃ）が、内ロック部材６１５（６２３）の突起部６１５ｇ（６２３ｇ）に接触し、これを上方へ押し上げる。すると、内ロック部材６１５（６２３）は、コイルばねＣ１（Ｃ２）の引張力に抗して回動変位して、下片部６１５ｃ（６２３ｃ）が前方（取付板６０２側）へやや引っ込んだ状態となる。この状態が、本実施形態における内ロック部材６１５（６２３）の第２状態に相当する。この状態になると、下片部６１５ｃ（６２３ｃ）が受け金具８３のロック孔部８３ｐから抜け出した状態となり、ロック状態が解除される。
【０１６８】
さらに、摺動杆６１０が上方へ摺動すると、摺動杆６１０の内ガイド孔６２５（６２６）の下縁部によってガイドピン６３１（６３２）が引き上げられ、図２６（ｂ）に示すように、コイルばねＣ１（Ｃ２）の引張力に抗して内鉤部材６１３（６１４）が上方へ摺動する。この際、内ロック部材６１５（６２３）は、内鉤部材６１３（６１４）とともに上方へ摺動する。これにより、内鉤部材６１３（６１４）と受け金具８３との係合が解除され、内枠１２の開放が許容される。
【０１６９】
なお、前鉤部材６１６，６１７，６１８が係止位置（基準位置）にある場合、ガイドピン６５１，６５２，６５３の係合された摺動杆６１０の内ガイド孔６４５，６４６，６４７の下部や、摺動杆６１０の後作用片６１０ｄ，６１０ｅ，６１０ｆの差し込まれる前鉤部材６１６，６１７，６１８の膨出凹部６１６ｇ，６１７ｇ，６１８ｇの上部には、ガイドピン６５１，６５２，６５３や後作用片６１０ｄ，６１０ｅ，６１０ｆが相対変位するスペースが確保されている。これにより、摺動杆６１０が上方へ摺動変位した場合でも、前鉤部材６１６，６１７，６１８は摺動せず、そのままの状態を維持できるようになっている。
【０１７０】
一方、内枠１２を施錠する際には、鍵Ｋを用いることなく施錠を行うことができるよう構成されている。より詳しくは、開状態にある内枠１２を閉じていくと、内鉤部材６１３，６１４の頭部６１３ｃ，６１４ｃの傾斜部位が各受け金具８３の鉤孔部８３ｊの下辺（前壁部８３ａ）に接触する。さらに、内枠１２を閉じていくと、内鉤部材６１３，６１４が上方へ押され、コイルばねＣ１，Ｃ２の引張力に抗して一旦上方へ摺動する。この際、内ロック部材６１５，６２３は、前壁部８３ａに当接して回動変位する。その後、内鉤部材６１３，６１４の頭部６１３ｃ，６１４ｃが前壁部８３ａを越えると、コイルばねＣ１，Ｃ２の引張力により内鉤部材６１３，６１４が元の位置に戻り、前壁部８３ａの裏側に係止される。内鉤部材６１３，６１４が元の位置に戻ると、内ロック部材６１５，６２３も下方へ下がって元の姿勢に戻り、下片部６１５ｃ，６２３ｃがロック孔部８３ｐに挿通された状態となる。これにより、施錠が完了し、内枠１２の開放が規制された状態となるとともに、内ロック部材６１５，６２３によりロックがかかった状態（ロック状態）となる。
【０１７１】
次に前面枠セット１４の施錠及び解錠について詳しく説明する。前面枠セット１４の施錠状態においては、摺動杆６１０が基準位置をとることにより、上述したように前面枠セット１４に取付けられた受け金具９１，９２，９３（係合部９１ｃ，９２ｃ，９３ｃ）に対して前鉤部材６１６，６１７，６１８の頭部６１６ｃ，６１７ｃ，６１８ｃが係止され、前面枠セット１４の開放が規制されている（図２３，２４参照）。なお、前鉤部材６１６，６１７，６１８が受け金具９１，９２，９３に係合された状態では、頭部６１６ｃ，６１７ｃ，６１８ｃの先端が取付部９１ａ，９２ａ，９３ａの差込み孔９１ｄ，９２ｄ，９３ｄに差し込まれた状態となるとともに、係合部９１ｃ，９２ｃ，９３ｃの挿通孔９１ｅ，９２ｅ，９３ｅに対し、前ロック部材６１９，６２０，６２１の上片部６１９ｂ，６２０ｂ，６２１ｂが挿通された状態となる（図２３参照）。
【０１７２】
仮に、前面枠セット１４の開放状態において、係止位置にある前鉤部材６１６（６１７，６１８）の突出部６１６ｂ（６１７ｂ，６１８ｂ）や頭部６１６ｃ（６１７ｃ，６１８ｃ）に対し線材等を引っ掛けて、摺動杆６１０を介さず、前鉤部材６１６（６１７，６１８）に対し解錠方向（下方）への外力がかけられると、図２７に示すように前鉤部材６１６（６１７，６１８）が下方へ摺動するとともに、これに連動して前ロック部材６１９（６２０，６２１）が下方へ摺動する。この際、前ロック部材６１９（６２０，６２１）は、コイルばねＣ３（Ｃ４，Ｃ５）の引張力により取付板６０２側（前方かつ上方）へ引き付けられるため、通常時の基準姿勢を維持しつつ下方へ摺動する。
【０１７３】
従って、前面枠セット１４の施錠状態において、鍵Ｋを用いることなく、係止位置にある前鉤部材６１６（６１７，６１８）に対し線材等を引っ掛かける等して不正に上記同様の解錠操作を行った場合には、前ロック部材６１９（６２０，６２１）の上片部６１９ｂ（６２０ｂ，６２１ｂ）が受け金具９１（９２，９３）の係合部９１ｃ（９２ｃ，９３ｃ）の挿通孔９１ｅ（９２ｅ，９３ｅ）の下縁部に引っ掛かることとなる。つまり、前鉤部材６１６（６１７，６１８）を解錠方向へ摺動させようとしても、その動きは、挿通孔９１ｅ（９２ｅ，９３ｅ）等の遊び分を除き実質的に規制される。もちろん、挿通孔９１ｅ（９２ｅ，９３ｅ）の遊び量は、前ロック部材６１９（６２０，６２１）の上片部６１９ｂ（６２０ｂ，６２１ｂ）が係合部９１ｃ（９２ｃ，９３ｃ）の挿通孔９１ｅ（９２ｅ，９３ｅ）の下縁部に当接した状態でも、前鉤部材６１６（６１７，６１８）の頭部６１６ｃ（６１７ｃ，６１８ｃ）が受け金具９１（９２，９３）から離脱しない程度に設定されている。結果として、前鉤部材６１６（６１７，６１８）は非係止位置まで変位せず、前面枠セット１４の開放は許容されない。
【０１７４】
正規に前面枠セット１４を解錠する際には、シリンダ錠７００の鍵穴７０２に挿入した鍵Ｋを図１における反時計回り方向に回動させる。これにより、図２１（ａ），（ｂ）に示すように、カム板７２０が同方向に回動して、上係合爪７２０ａが摺動杆６１０の上係合孔７２５の下縁部に接触し、当該上係合爪７２０ａに押下げられるようにして摺動杆６１０が下方に摺動する。
【０１７５】
摺動杆６１０が下方へ摺動すると、図２８（ａ）に示すように、まず摺動杆６１０の後作用片６１０ｄ（６１０ｅ、６１０ｆ）が、前ロック部材６１９（６２０，６２１）の突起部６１９ｇ（６２０ｇ，６２１ｇ）に接触し、これを下方へ押し下げる。すると、前ロック部材６１９（６２０，６２１）は、コイルばねＣ３（Ｃ４，Ｃ５）の引張力に抗して回動変位して、上片部６１９ｂ（６２０ｂ，６２１ｂ）が後方（フランジ部６０３ａ側）へやや引っ込んだ状態となる。この状態になると、上片部６１９ｂ（６２０ｂ，６２１ｂ）が受け金具９１（９２，９３）の挿通孔９１ｅ（９２ｅ，９３ｅ）から抜け出した状態となり、ロック状態が解除される。
【０１７６】
さらに、摺動杆６１０が下方へ摺動すると、図２８（ｂ）に示すように、摺動杆６１０の内ガイド孔６４５（６４６，６４７）の上縁部によってガイドピン６５１（６５２，６５３）が引き下げられ、コイルばねＣ３（Ｃ４，Ｃ５）の引張力に抗して前鉤部材６１６（６１７，６１８）が下方へ摺動する。この際、前ロック部材６１９（６２０，６２１）は、前鉤部材６１６（６１７，６１８）とともに下方へ摺動する。これにより、前鉤部材６１６（６１７，６１８）と受け金具９１（９２，９３）との係合が解除され、前面枠セット１４の開放が許容される。
【０１７７】
なお、内鉤部材６１３，６１４が係止位置（基準位置）にある場合、ガイドピン６３１，６３２の係合された摺動杆６１０の内ガイド孔６２５，６２６の上部や、摺動杆６１０の前作用片６１０ｂ，６１０ｃが差し込まれる内鉤部材６１３，６１４の切欠き凹部６１３ｄ，６１４ｄの下部には、ガイドピン６３１，６３２や前作用片６１０ｂ，６１０ｃが相対変位するスペースが確保されている。これにより、摺動杆６１０が下方へ摺動変位した場合でも、内鉤部材６１３，６１４は摺動せず、そのままの状態を維持できるようになっている。
【０１７８】
一方、前面枠セット１４を施錠する際には、鍵Ｋを用いることなく施錠を行うことができるよう構成されている。より詳しくは、開状態にある前面枠セット１４を閉じていくと、前鉤部材６１６，６１７，６１８の頭部６１６ｃ，６１７ｃ，６１８ｃの傾斜部位が受け金具９１，９２，９３の係合部９１ｃ，９２ｃ，９３ｃ下辺に接触する。さらに、前面枠セット１４を閉じていくと、前鉤部材６１６，６１７，６１８が下方へ押され、コイルばねＣ３，Ｃ４，Ｃ５の引張力に抗して一旦下方へ摺動する。この際、前ロック部材６１９，６２０，６２１は、係合部９１ｃ，９２ｃ，９３ｃの背面部に当接して回動変位する。その後、前鉤部材６１６，６１７，６１８の頭部６１６ｃ，６１７ｃ，６１８ｃが係合部９１ｃ，９２ｃ，９３ｃを越えると、コイルばねＣ３，Ｃ４，Ｃ５の引張力により前鉤部材６１６，６１７，６１８が元の位置に戻り、係合部９１ｃ，９２ｃ，９３ｃに係止される。この際、頭部６１６ｃ，６１７ｃ，６１８ｃの先端が取付部９１ａ，９２ａ，９３ａの差込み孔９１ｄ，９２ｄ，９３ｄに差し込まれた状態となる。前鉤部材６１６，６１７，６１８が元の位置に戻ると、前ロック部材６１９，６２０，６２１も上方へ上がって元の姿勢に戻り、上片部６１９ｂ，６２０ｂ，６２１ｂが係合部９１ｃ，９２ｃ，９３ｃの挿通孔９１ｅ，９２ｅ，９３ｅに挿通された状態となる。これにより、施錠が完了し、前面枠セット１４の開放が規制された状態となるとともに、前ロック部材６１９，６２０，６２１によりロックがかかった状態（ロック状態）となる。
【０１７９】
さらに、本実施形態では、シリンダ錠７００の故障時など、シリンダ錠７００を操作して内枠１２を開放できない状況となった場合には、パチンコ機１０の背面側から直接、内鉤部材６１３，６１４と受け金具８３との係合を解除して、内枠１２を開放させることとなる。
【０１８０】
内枠１２が施錠状態にある場合、通常は、図２４に示すように、鉤部材６１３（６１４）の頭部６１３ｃ（６１４ｃ）が、受け金具８３及び樹脂カバー８０１により覆われている。そのため、内鉤部材６１３（６１４）を直接操作できないようになっている。
【０１８１】
そこで、内鉤部材６１３，６１４と受け金具８３との係合を解除するためには、少なくとも樹脂カバー８０１を取外さなければならない。そのためには、先ず各被覆壁部８０１ｂを切除することとなる。以下、上側の被覆壁部８０１ｂを例に、その作業工程について説明するが、下側の被覆壁部８０１ｂについても同様に行われる。
【０１８２】
図３５（ａ），図３６（ａ）に示すように、樹脂カバー８０１の被覆壁部８０１ｂと、突出壁部９０との隙間に対し、斜め下側からマイナスドライバー等の工具Ｇ１の先端を差し込む。
【０１８３】
続いて、図３５（ｂ），図３６（ｂ）に示すように、工具Ｇ１の先端を突出壁部９０に支持した状態で、工具Ｇ１の柄の方を上方に押し上げる。これにより、複数の破断部８０１ｒが下側より順次切断されていき、被覆壁部８０１ｂが縦壁部８０１ａから切離される。
【０１８４】
上述したように、被覆壁部８０１ｂは、その側壁部８０１ｈ上側が面取りされているため、上記作業を比較的スムーズに行うことができるようになっている。これに対し、仮に被覆壁部８０１ｂと突出壁部９０との隙間に上側から工具Ｇ１を差し込んで、同様の作業を行おうとした場合には、面取りされていない側壁部８０１ｈ下側が引っ掛かるため、より大きな力が必要となる。さらには、破断部８０１ｒとは異なる部位で破断する等、適切に被覆壁部８０１ｂを切除できないおそれも生じ得る。また、仮に側壁部８０１ｈ下側が面取りしてあったとしても、受け金具８３の係止孔部８３ｍに係止されている係止片８０１ｇの係止爪が抜け出してこないため、上記同様の不具合が生じ得る。従って、本実施形態のような構成の下では、上側の被覆壁部８０１ｂに対しては、その下側より工具Ｇ１を差込み、下側の被覆壁部８０１ｂに対しては、その上側より工具Ｇ１を差込んで、上記作業を行うことが好ましい。
【０１８５】
図３５（ｃ），図３６（ｃ）に示すように、被覆壁部８０１ｂが完全に切離されると、受け金具８３を固定しているネジ７９９の頭部７９９ａが露出する。これにより、ネジ７９９の頭部７９９ａの工具係合部（十字溝）に所定の工具（プラスドライバー等）を係合可能となる。
【０１８６】
そして、図３６（ｄ）に示すように、ネジ７９９を取外して、受け金具８３を取外すことにより、内鉤部材６１３（６１４）と受け金具８３との係合が解除されるため、内鉤部材６１３（６１４）を操作することなく、内枠１２の開放が許容される。
【０１８７】
内枠１２の開放後は、上述した手順で再度受け金具８３を取着し、使用済みの樹脂カバー８０１に代えて、新たな樹脂カバー８０１を取着することにより、元の状態に戻る。
【０１８８】
なお、カッターやニッパー等により破断部８０１ｒを１つずつ切断していく方法も考えられるが、本実施形態のように破断部８０１ｒの数が多い場合には非常に手間がかかる。また、破断部８０１ｒが突出壁部９０の端縁部に略当接した状態で配置されるため、作業も行いにくい。従って、上述した方法の方が比較的簡単で好ましい。
【０１８９】
勿論、上記方法に限らず、受け金具８３を取外すことなく、内枠１２を開放することも可能である。つまり、被覆壁部８０１ｂを切離すことにより、樹脂カバー８０１の縦壁部８０１ａの取外しが可能となるため、当該縦壁部８０１ａを取外した隙間から受け金具８３内に棒状の工具を差し込み、内鉤部材６１３（６１４）の解錠操作を行い、内枠１２を開放するようにしてもよい。
【０１９０】
より詳しくは、受け金具８３内に差し込んだ棒状の工具により、内ロック部材６１５（６２３）の下片部６１５ｃ（６２３ｃ）を前方へ押して、当該内ロック部材６１５（６２３）によるロックを解除しつつ、内鉤部材６１３（６１４）の頭部６１３ｃ（６１４ｃ）を上方へ押し上げ、内鉤部材６１３（６１４）と受け金具８３との係合を解除して、内枠１２を開放するようにしてもよい。但し、このように僅かな隙間から工具を差し込んで行う解錠操作は、経験的要素も必要で容易ではないため、受け金具８３を完全に取外して行う上記方法の方がより確実で好ましい。
【０１９１】
以上詳述したように、本実施形態では、内ロック部材６１５，６２３や前ロック部材６１９，６２０，６２１を備えることにより、内枠１２や前面枠セット１４の施錠時において、鍵Ｋを用いずに線材等によって内鉤部材６１３，６１４や前鉤部材６１６，６１７，６１８に対し直接の解錠操作、すなわち不正な解錠操作が行われた場合には、内鉤部材６１３，６１４や前鉤部材６１６，６１７，６１８の解錠方向への摺動が規制される。つまり、内鉤部材６１３，６１４や前鉤部材６１６，６１７，６１８は係止位置に維持されるため、内枠１２や前面枠セット１４の開放は許容されない。
【０１９２】
一方、鍵Ｋを用いて正規に解錠操作を行った場合には、摺動杆６１０から力を受けることにより、内ロック部材６１５，６２３や前ロック部材６１９，６２０，６２１が状態変化し、内鉤部材６１３，６１４や前鉤部材６１６，６１７，６１８が非係止位置へ摺動可能となる。つまり、内鉤部材６１３，６１４や前鉤部材６１６，６１７，６１８が受け金具８３や受け金具９１，９２，９３から離脱し、内枠１２や前面枠セット１４の開放が許容される。
【０１９３】
本実施形態の内ロック部材６１５，６２３や前ロック部材６１９，６２０，６２１は、外枠１１本体や前面枠セット１４本体に当接する等して状態変化する構成ではない。従って、内ロック部材６１５，６２３と外枠１１本体との当接位置関係や、前ロック部材６１９，６２０，６２１と前面枠セット１４本体との当接位置関係などを考慮する必要がないため、例えば内ロック部材６１５等のうち受け金具８３等と係り合う下片部６１５ｃ等の前後長を予め余裕をもって長めに設計しておくことができ、内枠１２と外枠１１との間や、内枠１２と前面枠セット１４との間にある程度の遊びを設けたとしても、受け金具８３や受け金具９１，９２，９３に対し内ロック部材６１５，６２３や前ロック部材６１９，６２０，６２１がより確実に係止されやすい。結果として、仮に内枠１２と外枠１１との組付誤差や、内枠１２と前面枠セット１４との組付誤差が大きくなった場合でも、当該組付誤差による内ロック部材６１５，６２３や前ロック部材６１９，６２０，６２１の機能低下といった不具合は低減される。換言すれば、より大きな製造誤差や組付誤差を許容することができ、歩留まり性が向上する。
【０１９４】
また、内枠１２や前面枠セット１４を無理やり引っ張る等した場合でも、内ロック部材６１５，６２３と受け金具８３との係合や、前ロック部材６１９，６２０，６２１と受け金具９１，９２，９３との係合が簡単に解除され、内枠１２や前面枠セット１４が開放されてしまうおそれも低い。さらに、内ロック部材６１５，６２３や前ロック部材６１９，６２０，６２１は、摺動杆６１０ではなく、内鉤部材６１３，６１４や前鉤部材６１６，６１７，６１８の解錠方向への摺動を直接的に規制しているため、より確実に不正解錠を抑制することができる。
【０１９５】
また、仮に線材等を用いて内ロック部材６１５，６２３や前ロック部材６１９，６２０，６２１を状態変化させるとともに、内鉤部材６１３，６１４や前鉤部材６１６，６１７，６１８を不正に解錠操作しようとした場合には、内鉤部材６１３等と内ロック部材６１５等とにそれぞれ引っ掛けた線材等を少なくとも２方向に操作しなければならないため、不正解錠操作が行いにくくなる。
【０１９６】
結果として、線材等を用いた不正解錠に対する防御性能が格段に向上する。
【０１９７】
また、内ロック部材６１５，６２３や前ロック部材６１９，６２０，６２１を、これに対応する内鉤部材６１３，６１４や前鉤部材６１６，６１７，６１８と、摺動杆６１０との間に配設することにより、内ロック部材６１５等の露出する部位が減る。従って、内ロック部材６１５等に線材等を引っ掛けたり、金属片等を押し当てたりすることのできる部位の露出度も減り、上述したような不正解錠操作が行いにくくなる。
【０１９８】
さらに、支持板６０３の後縁部にフランジ部６０３ａが設けられていることにより、パチンコ機１０の背面側から突出壁部９０を越えて、内鉤部材６１３等と摺動杆６１０との隙間へ線材等を進入させ、内ロック部材６１５等に引っ掛けるといった不正行為がより困難となる。
【０１９９】
加えて、内鉤部材６１３，６１４にはガード部６１３ｆ，６１４ｆが設けられ、前鉤部材６１６，６１７，６１８にはガード部として機能する膨出凹部６１６ｇ，６１７ｇ，６１８ｇが設けられている。これにより、内ロック部材６１５，６２３のフック部６１５ｆ，６２３ｆや突起部６１５ｇ，６２３ｇ、前ロック部材６１９，６２０，６２１の突起部６１９ｇ，６２０ｇ，６２１ｇなどに対し線材等を引っ掛けにくくなる。
【０２００】
結果として、線材等を用いた不正解錠に対する防御性能をさらに高めることができる。
【０２０１】
また、本実施形態では、摺動杆６１０を共用しつつも、内枠１２と前面枠セット１４とを別々に開放でき、メンテナンス時等の作業性の向上を図るとともに、部品点数の増加を抑制することができる。このような構成では、内鉤部材６１３，６１４や前鉤部材６１６，６１７，６１８を摺動杆６１０に対して上下動可能に係合する構成を採用せざるを得ないため、内鉤部材６１３，６１４等に対する直接の解錠操作によっては当該内鉤部材６１３，６１４等が上下動しないようにする上記防御機能がより奏効することとなる。
【０２０２】
さらに、内鉤部材６１３，６１４や前鉤部材６１６，６１７，６１８は、それぞれ独立して摺動変位するように構成されているため、不正行為により仮に内鉤部材６１３，６１４のいずれか一方、又は、前鉤部材６１６，６１７，６１８のいずれかが解錠方向へ摺動させられてしまった場合でも、他は摺動しないため、内枠１２や前面枠セット１４の施錠状態が保持され、開放は許容されない。結果として、内鉤部材６１３等の解錠方向への摺動変位を規制する内ロック部材６１５等との相乗効果により、不正解錠に対する防御性能がさらに向上する。
【０２０３】
また、本実施形態では、内枠１２や前面枠セット１４を施錠する際に、鍵Ｋを用いることなく施錠を行うことができるように構成されている。より詳しくは、内枠１２等を施錠する際に、コイルばねＣ１等の引張力に抗して、内鉤部材６１３等が受け金具８３等に接触して一旦解錠方向に変位するとともに、内ロック部材６１５等が受け金具８３等に接触して回動変位する。その後、コイルばねＣ１等の引張力により、内鉤部材６１３等が元の位置に戻り、施錠が完了すると、内ロック部材６１５等も元の姿勢に戻る。これにより、内枠１２等の開放が規制された状態となるとともに、内ロック部材６１５等によりロックがかかったロック状態となる。このような構成とすることで、内ロック部材６１５等が邪魔になることなく、スムーズに内枠１２等を閉めることができ、作業性が向上する。
【０２０４】
加えて、本実施形態では、鉤部材６１３，６１４及び内ロック部材６１５，６２３が受け金具８３及び樹脂カバー８０１により覆われている。このため、鉤部材６１３，６１４や内ロック部材６１５，６２３に対し線材等を引っ掛けにくくなる。結果として、線材等による鉤部材６１３，６１４に対する直接の解錠操作、すなわち不正な解錠操作が行われるのを抑止することができる。
【０２０５】
また、一旦、樹脂カバー８０１を組付けると、パチンコ機１０が遊技ホールの島設備に設置されているか否かに関わらず、受け金具８３を取外せない状態となる。従って、受け金具８３を固定するネジ等が露出し、当該受け金具８３が容易に取外し可能となっている構成に比べて、不正解錠に対する防御性能が格段に向上する。
【０２０６】
一方、シリンダ錠７００の故障時など正当な理由から、鍵Ｋを用いずにパチンコ機１０の背面側から鉤部材６１３，６１４を直接操作して係合状態を解除しなくてはならない状況となった場合には、樹脂カバー８０１を破壊して取外した後、受け金具８３を取外す等して、鉤部材６１３，６１４と受け金具８３との係合を解除することができる。つまり、正当な理由の下で行う作業の効率を妨げることなく不正行為のみをより確実に抑止することができる。
【０２０７】
さらに、樹脂カバー８０１を破壊する等して取外した場合、そこにはその痕跡が残る。そのため、万が一、樹脂カバー８０１を破壊して不正行為が行われた場合には、それを確認することで不正行為を早期発見できる。従って、不正行為の直接的な防止はもとより、不正行為を早期発見できるという側面からも不正行為の抑止を図ることができる。
【０２０８】
結果として、メンテナンス性の向上を図りつつも、受け金具８３が容易に取外し可能となっている構成に比べて、不正解錠に対する防御性能が格段に向上する。
【０２０９】
また、本実施形態では、左辺枠構成部１１ｃ及び右辺枠構成部１１ｄがアルミニウム合金製の押出成形材により構成されているため、木製である場合に比べ、耐久性が向上するとともに、リサイクル性が向上する。また、左辺枠構成部１１ｃ及び右辺枠構成部１１ｄを押出成形材により構成することにより、金型装置を用いた型成形を行わなくともよいため、製造工程を簡素化することができる。
【０２１０】
左辺枠構成部１１ｃ及び右辺枠構成部１１ｄを金属製とすれば、必要な強度を保ちながら、その厚みを比較的薄くできる。このようにすれば、パチンコ機１０のように、その外郭形状が規格的に略同一形状に構成される遊技機において、外枠１１によって囲まれたスペースが左右幅方向に拡張されることとなり、当該スペースをより有効に利用することができる。
【０２１１】
さらに、従来の木製の外枠では、内部スペースを左右方向に拡張するために左右両辺の枠構成部にルータ加工等を施していたが、上記構成によれば、ルータ加工等のような手間のかかる作業を必要とせず、作業工程の簡素化を図ることができる。
【０２１２】
なお、従来では、遊技ホールにてパチンコ機を設置する場合、木製の外枠を遊技機設置場所に釘等で打ち付け固定するのが一般的である。従って、本実施形態のように上下両辺の枠構成部１１ａ，１１ｂを木製の板材により構成したハイブリットタイプとすれば、従来同様に釘等でパチンコ機１０を固定できるため、遊技ホール側が新たな固定手段を用意する必要もなく、遊技ホール側の負担が軽減される。
【０２１３】
上記のように、本実施形態の右辺枠構成部１１ｄは、その厚みが従来の木製部材に比べかなり薄肉となっている。このため、パチンコ機１０側方から差し込んだ線材等を外枠１１の背面側を通して施錠装置６００の側へ廻し込み、上記不正行為が容易に行われることも懸念される。
【０２１４】
これに対し、本実施形態では、施錠装置６００に対応する上下区間全域を内枠１２の背面側から覆う突出壁部９０が右辺枠構成部１１ｄに形成されている。これにより、外枠１１の背面側から線材等を進入させ、当該線材等により鉤部材６１３，６１４等の各鉤部を操作することがさらに困難となる。結果として、さらなる防御性能の向上を図ることができる。
【０２１５】
さらに、突出壁部９０が形成されることによって、右辺枠構成部１１ｄの歪みや撓み等を抑制することができる。このように右辺枠構成部１１ｄの強度が増した分、さらなる薄肉化を図ることができ、ひいては軽量化や内部スペースの更なる拡張を図ることができる。加えて、右辺枠構成部１１ｄを撓ませて針金等を進入させるような隙間を生じさせることも困難となり、不正解錠に対する防御性能のさらなる向上を図ることができる。
【０２１６】
結果として、左辺枠構成部１１ｃ及び右辺枠構成部１１ｄの厚みを比較的薄くしつつも、線材等を用いた不正解錠に対する防御性能を高めることができる。すなわち、左辺枠構成部１１ｃ及び右辺枠構成部１１ｄの薄肉化と防御性能の向上といった両作用効果の両立を図ることができる。
【０２１７】
さらに、押出成形材を採用することにより、突出壁部９０が右辺枠構成部１１ｄの本体部と一体形成された構成であるため、突出壁部９０と本体部との間に隙間が生じることもないし、当該突出壁部９０ごと取外し、不正行為を行うようなこともできなくなるため、不正解錠に対する防御性能が格段に向上する。
【０２１８】
しかしながら、パチンコ機１０のホール搬入時や工場等における運搬作業時において、作業者は外枠１１の左辺枠構成部１１ｃ及び右辺枠構成部１１ｄ等を持って作業を行うことが多いため、当該右辺枠構成部１１ｄの内側面に突出した突出壁部９０の突出量が大きすぎると、作業者が持ちにくくなる等の不具合が生じ得る。
【０２１９】
この点、本実施形態では、突出壁部９０の突出量が、施錠装置６００の左右幅の略半分程度の位置までと比較的短く設定されているため、そのような不具合は発生しにくい。
【０２２０】
このように突出壁部９０の突出量が比較的短い構成とした場合、上述したように突出壁部９０と受け金具８３との間に隙間が形成され、不正解錠に対する防御性能が低下するおおれがあるが、本実施形態のように樹脂カバー８０１を備えていれば、このような懸念は払拭できる。
【０２２１】
また、島設備に設置されるパチンコ機１０が、他のパチンコ機１０等とほとんど隙間なく隣接する関係上、右辺枠構成部１１ｄの外側面に何らかの部材を配置することは困難である。これに対し、本実施形態のように、右辺枠構成部１１ｄの内側面から突出した突出壁部９０を挟みこむようにして、受け金具８３と樹脂カバー８０１を組付ける構成とすれば、大きな設計変更をすることなく、比較的容易に受け金具８３及び樹脂カバー８０１を設けることができる。
【０２２２】
さらに、本実施形態では、樹脂カバー８０１の被覆壁部８０１ｂと突出壁部９０との隙間にマイナスドライバー等の工具Ｇ１を差し込み、比較的容易に被覆壁部８０１ｂの切離し作業を行うことができる。このため、ニッパー等により破断部８０１ｒを１つずつ切断する等といった手間のかかる作業を行わなくてもよく、作業効率が良い。
【０２２３】
なお、上述した実施形態の記載内容に限定されず、例えば次のように実施してもよい。
【０２２４】
（ａ）施錠装置６００の構成は上記実施形態に限定されるものではない。例えば、上記実施形態では、内枠１２の施錠機構及び前面枠セット１４の施錠機構が、単一の施錠装置６００によって具現化されている。これに限らず、例えば前面枠セット１４が内枠１２と一体形成された構成等においては、当該前面枠セット１４の施錠機構を省略した構成としてもよい。
【０２２５】
（ｂ）上記実施形態では、内枠１２の施錠機構に関しては、両内鉤部材６１３，６１４に対応して内ロック部材６１５，６２３が設けられ、前面枠セット１４の施錠機構に関しては、３つの前鉤部材６１６，６１７，６１８すべてに対応して前ロック部材６１９，６２０，６２１が設けられた構成となっている。これに限らず、例えば内枠１２の施錠機構に関しては、２つの内鉤部材６１３，６１４のうちのいずれか一方のみに対応して内ロック部材を備えた構成としてもよい。また、前面枠セット１４の施錠機構に関しては、３つの前鉤部材６１６，６１７，６１８のうちの少なくとも１つに対応して前ロック部材が設けられた構成としてもよい。少なくとも１つに対応して設けられていれば、不正解錠に対する防御性能を十分に発揮することはできる。
【０２２６】
（ｃ）内ロック部材６１５，６２３や前ロック部材６１９，６２０，６２１の各ロック部材の構成は上記実施形態に限定されるものではない。例えば、上記実施形態では、内ロック部材６１５，６２３や前ロック部材６１９，６２０，６２１が回動変位することにより、ロック状態（第１状態）と非ロック状態（第２状態）とに状態変化する構成となっている。これに限らず、例えばラックアンドピニオン機構により、摺動杆６１０の動作に連動して略水平方向にスライド変位するロック部材などを採用してもよい。
【０２２７】
また、上記実施形態では、内ロック部材６１５，６２３や前ロック部材６１９，６２０，６２１を、これに対応する内鉤部材６１３，６１４や前鉤部材６１６，６１７，６１８と、摺動杆６１０との間に配設している。これに限らず、内ロック部材６１５等が内鉤部材６１３等に対し、摺動杆６１０とは逆側に配設された構成としてもよい。
【０２２８】
また、内鉤部材６１３等の動きを直接的に規制する内ロック部材６１５等に代えて、内枠１２の閉時に摺動杆６１０の動きを規制することにより、内鉤部材６１３等の鉤部材の動きを規制するロック部材を備えた構成としてもよい。例えば内枠１２を閉じると、所定のロック部材が外枠１１や受け金具８３等の所定部位に当接することにより押されて変位し、摺動杆６１０の一部に差し込まれる等して摺動杆６１０と係合し、当該摺動杆６１０ひいては内鉤部材６１３等の移動を規制する構成等が一例に挙げられる。
【０２２９】
また、本発明に係るカバー部材（受け金具８３及び樹脂カバー８０１）は、内ロック部材６１５等が省略された、内鉤部材６１３等のみを備えた構成においも適用することができる。
【０２３０】
（ｄ）内鉤部材６１３，６１４や前鉤部材６１６，６１７，６１８の構成は上記実施形態に限定されるものではない。例えば、上記実施形態では１つの摺動杆６１０を共用して、内枠１２の解錠と前面枠セット１４の解錠とを別々に行う構成となっており、当該摺動杆６１０に対し、内鉤部材６１３，６１４や前鉤部材６１６，６１７，６１８がそれぞれ相対変位可能に係合されている。これに代えて、内鉤部材６１３，６１４又は前鉤部材６１６，６１７，６１８の一方を摺動杆６１０に相対変位不能に設けた構成としてもよい。構成例としては、内鉤部材６１３，６１４又は前鉤部材６１６，６１７，６１８が摺動杆６１０と一体形成された構成や、摺動杆６１０に対しネジ等の固定手段により相対変位不能に固定された構成などが挙げられる。このような構成としても、後述するシリンダ錠７００等との関係によっては、内枠１２を開放できない状況となった場合に、パチンコ機１０の背面側から直接、内鉤部材６１３，６１４と受け金具８３との係合を解除して、内枠１２を開放させることに不都合を生じない。
【０２３１】
また、内枠１２用と、前面枠セット１４用に、別々に摺動する２つの摺動杆を備え、各摺動杆に対して内鉤部材６１３，６１４や前鉤部材６１６，６１７，６１８がそれぞれ相対変位不能に設けられた構成としてもよい。
【０２３２】
また、上記実施形態では、内鉤部材６１３等が上下方向に摺動する構成となっているが、これに限らず、内鉤部材６１３等が係止位置と非係止位置とに回動変位する構成を採用してもよい。
【０２３３】
また、内鉤部材６１３等の各鉤部材、及び、これに対応する受け金具８３等の各被係合部材や、内ロック部材６１５等の各ロック部材の数は、上記実施形態の数に限定されるものではなく、内枠１２の施錠機構など各施錠機構に対応して、例えば１つであってもよい。
【０２３４】
また、上記実施形態では、鉤部材６１３，６１４の両鉤部材に対応して、受け金具８３に樹脂カバー８０１が取付けられているが、一方の鉤部材にのみ対応して樹脂カバー８０１を備えた構成としても十分、同様の作用効果を得ることができる。
【０２３５】
（ｅ）シリンダ錠７００の構成は上記実施形態に限定されるものではない。例えば、キーコードを変更可能なシリンダ錠を採用してもよい。キーコードの変更手順の一例について説明すると、所定のリセットピンを押圧した状態で鍵穴に現状の鍵を挿入して回動操作した後、該鍵を引き抜く。そして、リセットピンを押圧したまま、新たに設定したい鍵を鍵穴に挿入し、前記現状の鍵とは逆向きに回動操作した後、リセットピンの押圧状態を解除してから鍵を引き抜く。以上のような操作を行うことで、新たに設定したい鍵に合ったキーコードとすることができる。
【０２３６】
また、上記実施形態では、鍵Ｋの非挿入状態においてシリンダ錠７００がロック状態となり、摺動杆６１０の摺動変位がカム板７２０により規制される構成を採用している。これに限らず、例えば、摺動杆６１０が基準位置にある場合には、カム板７２０の両係合爪７２０ａ，７２０ｂが係合孔７２５，７２６に挿入された状態とならず、摺動杆６１０の摺動が規制されない構成を採用してもよい。また、鍵Ｋの非挿入状態においてもロック状態とならない（カム板７２０が変位不能とならない）シリンダ錠を採用してもよい。このような場合には、内鉤部材６１３，６１４等を摺動杆６１０に一体形成するなど、摺動杆６１０に対し相対変位不能に設けた構成としても、上述したように内枠１２を開放できない状況となった場合に、パチンコ機１０の背面側から直接、内鉤部材６１３，６１４と受け金具８３との係合を解除して、内枠１２を開放させることに不都合を生じない。
【０２３７】
（ｆ）上記実施形態では、シリンダ錠７００の鍵穴７０２に鍵Ｋを挿入し、時計回り方向に回動操作することで内枠１２が解錠され、反時計回りに回動操作することで前面枠セット１４が解錠される構成となっている。つまり、内鉤部材６１３，６１４が上方へ摺動することにより受け金具８３から離脱し、前鉤部材６１６，６１７，６１８が下方へ摺動することにより、受け金具９１，９２，９３から離脱する構成となっている。これに限らず、両者の解錠操作が逆となる構成としてもよい。
【０２３８】
（ｇ）第２カバー部材（樹脂カバー８０１）の構成は上記実施形態に限定されるものではない。構造、形成位置、大きさ、範囲などに関して適宜、変更可能である。
【０２３９】
例えば、上記実施形態では、樹脂成形体として被覆壁部８０１ｂが樹脂カバー８０１の縦壁部８０１ａに予め一体形成された構成であるが、これに限らず、樹脂カバー８０１の縦壁部８０１ａに、別体成形された被覆壁部８０１ｂを所定の固定手段により取着した構成としてもよい。
【０２４０】
また、上記実施形態では、複数の破断部８０１ｒを切断することによって、被覆壁部８０１ｂが縦壁部８０１ａから切離し可能な構成となっているが、これに限らず、縦壁部８０１ａと被覆壁部８０１ｂとの間に薄肉部を設けることにより、両者が切離し可能となる構成としてもよい。
【０２４１】
また、上記実施形態では、被覆壁部８０１ｂの切離しを容易にするため、被覆壁部８０１ｂと突出壁部９０との間にマイナスドライバー等の工具Ｇ１を差込み可能な隙間が形成される構成となっている。
【０２４２】
これに限らず、被覆壁部８０１ｂと突出壁部９０との間に隙間が形成されない構成としてもよい。この際、例えば被覆壁部８０１ｂ自体に工具Ｇ１を差込み可能な工具係合部を形成した構成としてもよい。また、作業者の手で摘むことが可能な摘み部等を設け、工具を用いずとも、被覆壁部８０１ｂの切離しを行える構成としてもよい。
【０２４３】
（ｈ）被係合部材や第１カバー部材の構成に関しても、上記実施形態に限定されるものではない。構造、形成位置、大きさ、範囲などに関して適宜、変更可能である。
【０２４４】
例えば、上記実施形態では、鉤部材６１３，６１４が係合される被係合部材と、その周囲を囲む遮蔽部材（第１カバー部材）とが、受け金具８３として一体形成された構成となっている。これに限らず、これらを別体で設けた構成としてもよい。
【０２４５】
また、受け金具８３を固定する固定手段はネジ７９９に限定されるものではなく、例えばクリップ等、他の固定手段を用いてもよい。
【０２４６】
（ｉ）上記実施形態では、第１カバー部材を構成する受け金具８３が金属製で、第２カバー部材を構成する樹脂カバー８０１が樹脂製となっており、これらを組付ける構成となっている。これに限らず、両カバー部材の素材、組付構造などは上記実施形態に限定されるものではない。例えば、両カバー部材が両者とも樹脂材料又は金属材料で形成された構成や、第１カバー部材が樹脂製でかつ第２カバー部材が金属製となった構成であってもよい。
【０２４７】
（ｊ）上記実施形態では、例えば内ロック部材６１５，６２３を介して、コイルばねＣ１，Ｃ２の付勢力が内鉤部材６１３，６１４に伝わる構成となっている。つまり、内鉤部材６１３，６１４の付勢手段と、内ロック部材６１５，６２３の維持手段とが、単一のコイルばねＣ１，Ｃ２により構成されている。また、同様に、前鉤部材６１６，６１７，６１８の付勢手段と、前ロック部材６１９，６２０，６２１の維持手段とが、単一のコイルばねＣ３，Ｃ４，Ｃ５により構成されている。これに限らず、各鉤部材の付勢手段と、各ロック部材の維持手段を別々のコイルばねにより構成してもよい。勿論、付勢手段や維持手段はコイルばねに限定されるものではない。また、付勢手段や維持手段の力が、摺動杆６１０など他の部材を介して間接的に鉤部材やロック部材に伝わる構成としてもよい。
【０２４８】
（ｋ）上記実施形態では、左辺枠構成部１１ｃ及び右辺枠構成部１１ｄがアルミニウム合金製の押出成形材により構成されているが、これに限らず、他の金属材料により構成してもよい。但し、アルミニウム合金は、他の金属材料よりも比較的軽く加工性がよいため、リサイクル性の向上を図る点においては、より好ましい。また、左辺枠構成部１１ｃ及び右辺枠構成部１１ｄは押出成形品でなくともよく、例えば型成形品でもよい。
【０２４９】
また、上記実施形態では、左辺枠構成部１１ｃ及び右辺枠構成部１１ｄだけが金属製であるが、これに限らず、上辺枠構成部１１ａや下辺枠構成部１１ｂを金属製にしてもよい。この場合、例えば上下左右の枠構成部１１ａ〜１１ｄのうちの２つ或いは３つの枠構成部、又はすべての枠構成部を一体成形してもよい。
【０２５０】
（ｌ）上記実施形態では、受け金具８３がネジ７９９によって突出壁部９０に固定され、当該ネジ７９９が樹脂カバー８０１の被覆壁部８０１ｂによって覆われることにより、受け金具８３の取外しができない構成となっている。これに限らず、ネジ７９９等の固定手段を用いずに、受け金具８３と樹脂カバー８０１が組付けられることにより、両者が取外し不能に突出壁部９０に固定される構成としてもよい。例えば、図３７に示すように、上壁部８３ｂに設けられる取付部８３ｆと、下壁部８３ｃに設けられる取付部８３ｇの延出方向をそれぞれカバー内向きにして、当該取付部８３ｆ，８３ｇにて、樹脂カバー８０１の被覆壁部８０１ｂに設けられた係止片８０１ｇの係止爪が係止される係止孔部８３ｓを形成した構成としてもよい。このようにすれば、係止片８０１ｇが受け金具８３の外部に露出しない態様で係止されることとなるため、係止片８０１ｇの解除操作を行うことができず、受け金具８３及び樹脂カバー８０１がともに取外し不能となる。
【０２５１】
また、受け金具８３が突出壁部９０ではなく、外枠１１の右辺枠構成部１１ｄの内壁面に対し固定される構成としてもよい。かかる場合、受け金具８０３は、右辺枠構成部１１ｄの外側からネジを螺着することにより固定される。その後、上記実施形態と同様、突出壁部９０の背面側より樹脂カバー８０１を取付ける。一般的に、パチンコ機１０が遊技ホールの島設備に設置された後には、他のパチンコ機１０等が隣接して配置されるため、外枠１１の右辺枠構成部１１ｄの外側からネジを取外しできなくなる。結果として、上記実施形態と同様の作用効果が奏される。このため、パチンコ機１０の背面側から直接、内鉤部材６１３（６１４）と受け金具８３との係合を解除する際には、上記実施形態と同様に被覆壁部８０１ｂを切離した後、樹脂カバー８０１の縦壁部８０１ａを取外し、当該縦壁部８０１ａを取外した隙間から受け金具８３内に棒状の工具を差し込み、内鉤部材６１３（６１４）の解錠操作を行い、内枠１２を開放することとなる。より詳しくは、受け金具８３内に差し込んだ棒状の工具により、内ロック部材６１５（６２３）の下片部６１５ｃ（６２３ｃ）を前方へ押して、当該内ロック部材６１５（６２３）によるロックを解除しつつ、内鉤部材６１３（６１４）の頭部６１３ｃ（６１４ｃ）を上方へ押し上げ、内鉤部材６１３（６１４）と受け金具８３との係合を解除して、内枠１２を開放する。
【０２５２】
（ｍ）上記実施形態とは異なるタイプのパチンコ機として実施してもよい。また、パチンコ機以外にも、アレンジボール機、それに類する雀球等の各種遊技機、スロットマシンとパチンコ機とを融合した形式の遊技機などとして実施してもよい。
【０２５３】
以下、特許請求の範囲の請求項に記載されないものであって、上記実施形態から把握できる技術的思想について、その効果とともに記載する。
【０２５４】
手段１．矩形枠状に構成された固定枠と、
前記固定枠の前面側にて、当該固定枠を構成する上下左右の枠構成部のうちの左右両辺の枠構成部の一方側に開閉可能に支持された扉体と、
前記扉体に設けられ、前記固定枠の左右両辺の枠構成部の他方側にて当該固定枠に対し前記扉体を施錠する施錠装置とを備え、
前記施錠装置が、
鍵により操作される錠部材と、
少なくとも前記鍵の操作に応じた前記錠部材の動作に連動して、前記固定枠に設けられた被係合部材に対し係合されて前記扉体の開放を規制する係合位置と、前記被係合部材から離脱して前記扉体の開放を許容する非係合位置とに変位可能な鉤部材とを備えた遊技機において、
少なくとも前記固定枠の左右両辺のうちの前記他方側の枠構成部は、金属製材料により成形されるとともに、その内側面にて、前記施錠装置の背面側を覆うように、上下方向に沿って形成された突出壁部を備え、
前記突出壁部の前面側に取付けられ、前記被係合部材及びこれに係合される前記鉤部材を囲む第１カバー部材と、
前記突出壁部を挟み込むように、当該突出壁部の背面側から前記第１カバー部材に組付けられる第２カバー部材とを備え、
前記第２カバー部材を組付けることにより、前記第１カバー部材が前記突出壁部から取外し不能となることを特徴とする遊技機。
【０２５５】
上記手段１によれば、第１及び第２カバー部材を備えることにより、被係合部材に係合される鉤部材に対し線材等を引っ掛けにくくなる。結果として、線材等による鉤部材に対する直接の解錠操作、すなわち不正な解錠操作が行われるのを抑止することができる。
【０２５６】
また、第２カバー部材を組付けた状態では、第１カバー部材が突出壁部から取外し不能となる。これにより、上述した不正行為等の抑制効果をさらに高めることができる。なお、第１カバー部材が「取外し不能」とあるのは、第２カバー部材を破壊する等して取外されない限り、第１カバー部材を取外すことができない又は極めて困難であるといった意味である。
【０２５７】
一般的に、パチンコ機等の遊技機は、遊技ホールの島設備に設置された後には、他の遊技機等が隣接して配置される。このため、固定枠の外側（左右の枠構成部の外側面）からネジ等の固定手段により、第１カバー部材を枠構成部の内側面に固定すれば、遊技機を島設備に設置した状態では当該第１カバー部材の取外しを行うことが困難となる。しかし、遊技機を島設備に設置していない状況では、第１カバー部材の取外しは容易に行える。
【０２５８】
これに対し、本手段では、遊技機を島設備に設置した状態か否かに関わらず、第２カバー部材を取外さない限り、第１カバー部材を取外しできない。従って、第１カバー部材が容易に取外し可能となっている構成に比べて、不正解錠に対する防御性能が格段に向上する。
【０２５９】
一方、錠部材の故障時など正当な理由から、鍵を用いずに遊技機背面側から鉤部材を直接操作して被係合部材との係合状態を解除しなくてはならない状況となった場合には、第２カバー部材を破壊する等して取外すことにより、第１カバー部材の取外し作業を行うことができる。つまり、正当な理由の下で行う作業の効率を妨げることなく不正行為のみをより確実に抑止することができる。
【０２６０】
加えて、第２カバー部材を破壊する等して取外した場合、そこにはその痕跡が残る。そのため、万が一、第２カバー部材を破壊して不正行為が行われた場合には、それを確認することで不正行為を早期発見できる。従って、不正行為の直接的な防止はもとより、不正行為を早期発見できるという側面からも不正行為の抑止を図ることができる。
【０２６１】
結果として、メンテナンス性の向上を図りつつも、第１カバー部材が容易に取外し可能となっている構成に比べて、不正解錠に対する防御性能が格段に向上する。
【０２６２】
尚、鉤部材及びこれに対応する被係合部材の数は１つに限定されるものではなく、これらを複数備えた構成としてもよい（これらに対応する各カバー部材に関しても同様）。このようにすれば、不正解錠に対する防御性能のさらなる向上が図られる。
【０２６３】
また、錠部材の例としては、鍵が挿入されて回動操作されるシリンダ錠などが挙げられる。勿論、錠部材はシリンダ錠に限定されるものではなく、この他、カードキーのような鍵を用いて操作されるものであってもよい。
【０２６４】
また、鉤部材及び被係合部材の「係合（係合状態）」とは、扉体の閉状態において、少なくとも扉体を開放する方向（例えば前方向）に動かした場合に、当該鉤部材及び被係合部材が接触し、両者が扉体の開放を規制する位置関係にある状態を指す。従って、鉤部材及び被係合部材の「係合」には、常時、両者が当接している場合のみではなく、動作性等を考慮して両者間に所定のクリアランス（遊び）を設けて、扉体の閉状態においては両者が離間している場合も含む。例えば、扉体の開閉方向である前後方向に対し、係合状態にある鉤部材及び被係合部材の間に所定のクリアランスが設定され、扉体の閉状態においては、鉤部材及び被係合部材が前後方向に対し当接してはいないが、扉体を開放しようと動かした場合には、両者が係り合う構成となっていればよい。逆に、鉤部材及び被係合部材の「非係合（非係合状態）」とは、扉体を開閉方向に動かした場合に、鉤部材及び被係合部材が接触しない位置関係、又は接触しつつも扉体を開放可能な位置関係にある状態を指す。
【０２６５】
さて、従来では、扉体を支持する固定枠は木製部材を組付けることにより矩形枠状に構成されていた。これに対し、上記手段１によれば、少なくとも固定枠の左右両辺のうちの他方側の枠構成部が金属製であるため、木製である場合に比べ、耐久性が向上するとともに、リサイクル性が向上する。
【０２６６】
また、枠構成部を金属製とすれば、必要な強度を保ちながら、その厚みを比較的薄くできる。このようにすれば、パチンコ機等の遊技機のように、その外郭形状が規格的に略同一形状に構成される遊技機において、固定枠によって囲まれたスペースが左右幅方向に拡張されることとなり、当該スペースをより有効に利用することができる。
【０２６７】
しかしながら、金属製部材を採用した場合、軽量化を図るとともに、その厚みを比較的薄くしても十分な強度を確保することが可能なため、その厚みが木製部材に比べかなり薄肉となっている。このため、上述したような不正行為を行う際には、遊技機側方から差し込んだ針金等の線材を施錠装置の奥側へと比較的容易に廻し込むことができるとともに、鉤部材を操作しやすくなる。つまり、上記不正行為が行われやすくなることが懸念される。
【０２６８】
これに対し、本手段によれば、施錠装置の背面側を覆う突出壁部を備えることにより、鉤部材に対し線材等を引っ掛けにくくすることができ、不正抑止効果を高めることができる。さらに、突出壁部が形成されることによって、枠構成部の撓み等を抑制することができる。このように枠構成部の強度が増した分、さらなる薄肉化を図ることができ、ひいては軽量化や内部スペースの更なる拡張を図ることができる。加えて、枠構成部の撓み等を規制することにより、枠構成部を撓ませて針金等を進入させるような隙間を生じさせることも困難となり、不正解錠に対する防御性能のさらなる向上を図ることができる。
【０２６９】
しかしながら、遊技機のホール搬入時や工場等における運搬作業時において、作業者は固定枠の左右両辺の枠構成部等を持って作業を行うことが多いため、当該枠構成部の内側面に突出した突出壁部の突出量が大きすぎると、作業者が持ちにくくなる等の不具合が生じ得る。
【０２７０】
この点、突出壁部の突出量が、第１カバー部材の左右幅よりも短ければ、そのような不具合は発生しにくい。ところが、このような構成では、突出壁部と第１カバー部材との間に隙間が形成され、この隙間から第１カバー部材内へ針金等を侵入させることが可能となるため、線材等を用いた上記不正行為が行われるおそれがある。
【０２７１】
これに対し、本手段のような第２カバー部材を備えることにより、突出壁部と第１カバー部材との間の隙間を塞ぐことができるため、不正解錠に対する防御性能が格段に向上する。
【０２７２】
また、島設備に設置される遊技機が、他の遊技機等とほとんど隙間なく隣接する関係上、枠構成部の外側面から第２カバー部材を取付けて、枠構成部の内側面に取付けられる第１カバー部材に対し組付ける構成を採用することは困難である。
【０２７３】
これに対し、本手段では、枠構成部の内側面から突出した突出壁部を挟みこむようにして、第１及び第２カバー部材が組付けられる構成となっているため、大きな設計変更をすることなく、第１及び第２カバー部材を設けることができる。
【０２７４】
なお、従来では、遊技ホールにてパチンコ機等の遊技機を設置する場合、木製の固定枠を遊技機設置場所に釘等で打ち付け固定するのが一般的である。従って、上下両辺の枠構成部を木製部材で構成したハイブリットタイプとすれば、従来同様に釘等で遊技機を固定できるため、遊技ホール側が新たな固定手段を用意する必要もなく、遊技ホール側の負担が軽減される。
【０２７５】
手段２．矩形枠状に構成された固定枠と、
前記固定枠の前面側にて、当該固定枠を構成する上下左右の枠構成部のうちの左右両辺の枠構成部の一方側に開閉可能に支持された扉体と、
前記扉体に設けられ、前記固定枠の左右両辺の枠構成部の他方側にて当該固定枠に対し前記扉体を施錠する施錠装置とを備え、
前記施錠装置が、
鍵により操作される錠部材と、
少なくとも前記鍵の操作に応じた前記錠部材の動作に連動して、前記固定枠に設けられた被係合部材に対し係合されて前記扉体の開放を規制する係合位置と、前記被係合部材から離脱して前記扉体の開放を許容する非係合位置とに変位可能な鉤部材とを備えた遊技機において、
少なくとも前記固定枠の左右両辺のうちの前記他方側の枠構成部は、金属製材料により成形されるとともに、その内側面にて、前記施錠装置の背面側を覆うように、上下方向に沿って形成された突出壁部を備え、
前記突出壁部に対し所定の固定手段により固定され、前記被係合部材及びこれに係合される前記鉤部材を囲む第１カバー部材と、
前記突出壁部を挟み込むように、当該突出壁部の背面側から前記第１カバー部材に組付けられる第２カバー部材とを備え、
前記第２カバー部材は、少なくとも前記固定手段を取外し不能に覆う被覆部を備え、当該被覆部が当該第２カバー部材の本体部から切離し可能に構成されていることを特徴とする遊技機。
【０２７６】
上記手段２によれば、第２カバー部材は、ネジ等の固定手段を取外し不能に覆う被覆部を備えているため、第１カバー部材への組付け状態において、第１カバー部材が突出壁部から取外し不能となる。
【０２７７】
さらに、錠部材の故障時など正当な理由から、鍵を用いずに遊技機背面側から鉤部材を直接操作して被係合部材との係合状態を解除しなくてはならない状況となった場合には、遮蔽部を切離し、固定手段の取外し作業を行うことができる。
【０２７８】
加えて、遮蔽部が切離されると、そこにはその痕跡が残る。そのため、万が一、第２カバー部材を破壊して不正行為が行われた場合には、それを確認することで不正行為を早期発見できる。従って、不正行為の直接的な防止はもとより、不正行為を早期発見できるという側面からも不正行為の抑止を図ることができる。
【０２７９】
結果として、上記手段１と同様の作用効果が奏される。
【０２８０】
なお、固定手段を「取外し不能」とあるのは、被覆部を切離さない限り、固定手段ひいては第１カバー部材を取外すことができない又は極めて困難であるといった意味である。
【０２８１】
また、上記被覆部の「切離し」には、第２カバー部材の本体部に一体形成された被覆部の破断や、第２カバー部材の本体部に固定された別体の被覆部の取外し等の意味が含まれる。
【０２８２】
手段３．前記突出壁部と前記被覆部との間に、所定の工具を差込み可能な隙間部が形成されることを特徴とする手段２に記載の遊技機。
【０２８３】
上記手段３によれば、上記隙間部に対し、例えばマイナスドライバー等の工具を差し込み、当該工具を介して被覆部に力をかけ、容易に被覆部の切離し（破断）を行うことができる。つまり、工具を使用して被覆部の切離しを行える構成としておくことにより、被覆部を第２カバー部材の本体部に一体形成する等、より強固に設けておくことができ、不正解錠に対する防御性能が格段に向上する。
【０２８４】
手段４．前記第１カバー部材が金属製部材よりなり、前記第２カバー部材が樹脂製部材よりなることを特徴とする手段１乃至３のいずれかに記載の遊技機。
【０２８５】
上記手段４によれば、第１カバー部材を金属製とすることにより、不正解錠に対する十分な防御性能を確保することができる。また、第２カバー部材を破壊する等して使用した場合でも、当該使用済みの第２カバー部材のみを、未使用の新たな第２カバー部材に取り替えるだけで元の状態に戻すことができる。従って、第１カバー部材まで交換する必要がなく、リサイクル性に優れる。
【０２８６】
手段５．前記被係合部材と前記第１カバー部材とを一体としたことを特徴とする手段１乃至４のいずれかに記載の遊技機。
【０２８７】
上記手段５によれば、被係合部材と第１カバー部材とを一体とすることにより、部品点数の削減を図るとともに、構成の簡素化を図ることができる。
【０２８８】
手段６．前記第１カバー部材は、
前記鉤部材が挿通される鉤孔部を有する前壁部と、
前記前壁部の周縁部から後方へ延出した周壁部とを備え、
前記第２カバー部材は、
少なくとも前記第１カバー部材の後側の開口部と前記突出壁部との隙間を塞ぐように取付けられることを特徴とする手段１乃至５のいずれかに記載の遊技機。
【０２８９】
上記手段６によれば、鉤部材が挿通する孔部を除き、実質的に上下、左右、前後の６方向からの線材等の侵入を防止することができ、不正解錠に対する防御性能が格段に向上する。
【０２９０】
手段７．少なくとも前記固定枠の左右両辺のうちの前記他方側の枠構成部は、所定断面形状の押出成形材により構成されていることを特徴する手段１乃至６のいずれかに記載の遊技機。
【０２９１】
上記手段７によれば、押出成形材により構成することにより、金型装置を用いた型成形を行わなくともよいため、製造工程を簡素化することができる。また、押出成形により比較的簡単に突出壁部を枠構成部の長手方向略全域に一様に設けることができる。
【０２９２】
押出成形後に、例えば作業者が持ちやすいように突出壁部の一部の突出量を短くする等の加工を施すことは非常に手間のかかる作業である。このため、押出成形材を用いる場合には、作業者が持ちやすいように、予め突出壁部の突出量を比較的小さく設定した状態で一定に押出成形しておきたい。この場合、上述したように突出壁部と第１カバー部材との間に隙間が形成されることが懸念されるが、この隙間を塞ぐことのできる上記第２カバー部材を備えることにより、このような不具合は解消できる。結果として、わざわざ枠構成部の押出成形後に突出壁部の一部を加工する等、手間のかかる作業を行う必要もなく、生産性を高めることができる。
【０２９３】
さらに、突出壁部が枠構成部の本体部と一体形成された押出成形材を採用することにより、突出壁部ごと取外し、不正行為を行うようなこともできなくなるため、不正解錠に対する防御性能が格段に向上する。
【０２９４】
以下に、上記各手段が適用される各種遊技機の基本構成を示す。
【０２９５】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０２９６】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０２９７】
Ｃ．上記各手段における前記遊技機、又は、上記各弾球遊技機は、パチンコ機又はパチンコ機に準ずる遊技機であること。
【０２９８】
Ｄ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【図面の簡単な説明】
【０２９９】
【図１】一実施形態におけるパチンコ機を示す正面図である。
【図２】パチンコ機の斜視図である。
【図３】パチンコ機の右側面図である。
【図４】内枠及び前面枠セットを開放した状態を示す斜視図である。
【図５】外枠の構成を示す斜視図である。
【図６】内枠及び遊技盤の構成を示す正面図である。
【図７】内枠の構成を示す背面図である。
【図８】パチンコ機の構成を示す背面図である。
【図９】電気的構成を示すブロック図である。
【図１０】施錠装置を背面左側から見た斜視図である。
【図１１】施錠装置を正面左側から見た斜視図である。
【図１２】施錠装置の背面図である。
【図１３】施錠装置の右側面図である。
【図１４】施錠装置の左側面図である。
【図１５】施錠装置の正面図である。
【図１６】背面側から見た施錠装置の分解図である。
【図１７】側面側から見た施錠装置の分解図である。
【図１８】鍵の非挿入時におけるシリンダ錠を示す断面図である。
【図１９】鍵の挿入時におけるシリンダ錠を示す断面図である。
【図２０】（ａ）は、摺動杆が上方へ摺動した状態における施錠装置を背面左側から見た斜視図であり、（ｂ）は、その状態における施錠装置を正面左側から見た斜視図である。
【図２１】（ａ）は、摺動杆が下方へ摺動した状態における施錠装置を背面左側から見た斜視図であり、（ｂ）は、その状態における施錠装置を正面左側から見た斜視図である。
【図２２】受け金具に係合された内鉤部材及び内ロック部材等を示す部分拡大斜視図である。
【図２３】受け金具に係合された前鉤部材及び前ロック部材等を示す部分拡大斜視図である。
【図２４】内鉤部材及び内ロック部材が受け金具に係止されるとともに、前鉤部材及び前ロック部材が受け金具に係止された状態を示す部分拡大図である。
【図２５】内枠の開放状態において、内鉤部材及び内ロック部材が上方に摺動した状態を示す部分拡大図である。
【図２６】（ａ）は、内枠を解錠するに際し、内ロック部材が基準位置より変位した状態を示す部分拡大図であり、（ｂ）は、それに続き内鉤部材及び内ロック部材が上方に摺動した状態を示す部分拡大図である。
【図２７】前面枠セットの開放状態において、前鉤部材及び前ロック部材が下方に摺動した状態を示す部分拡大図である。
【図２８】（ａ）は、前面枠セットを解錠するに際し、前ロック部材が基準位置より変位した状態を示す部分拡大図であり、（ｂ）は、それに続き前鉤部材及び前ロック部材が下方に摺動した状態を示す部分拡大図である。
【図２９】受け金具及び樹脂カバーを正面左側から見た分解斜視図である。
【図３０】受け金具及び樹脂カバーを正面右側から見た分解斜視図である。
【図３１】受け金具及び樹脂カバーを背面左側から見た分解斜視図であり。
【図３２】受け金具及び樹脂カバーを背面右側から見た分解斜視図である。
【図３３】（ａ）組付け状態の受け金具及び樹脂カバーを正面左側から見た斜視図であり、（ｂ）はそれを背面右側から斜視図である。
【図３４】図３のＫ−Ｋ線部分断面図である。
【図３５】（ａ）〜（ｄ）は、受け金具及び樹脂カバーの取外し作業を説明するための部分拡大斜視図である。
【図３６】（ａ）〜（ｃ）は、受け金具及び樹脂カバーの取外し作業を説明するための部分拡大断面図である。
【図３７】別の実施形態における受け金具及び樹脂カバーを説明するための部分拡大断面図である。
【符号の説明】
【０３００】
１０…パチンコ機、１１…外枠、１１ｄ…右辺枠構成部、１２…内枠、１４…前面枠セット、８３…受け金具、９０…突出壁部、６００…施錠装置、６１３，６１４…内鉤部材、６１５，６２３…内ロック部材、７００…シリンダ錠、７９９…ネジ、８０１…樹脂カバー、８０１ａ…縦壁部、８０１ｂ…被覆壁部、８０１ｒ…破断部。
【図１】
2010088551.tif 000003
【図２】
2010088551.tif 000004
【図３】
2010088551.tif 000005
【図４】
2010088551.tif 000006
【図５】
2010088551.tif 000007
【図６】
2010088551.tif 000008
【図７】
2010088551.tif 000009
【図８】
2010088551.tif 000010
【図９】
2010088551.tif 000011
【図１０】
2010088551.tif 000012
【図１１】
2010088551.tif 000013
【図１２】
2010088551.tif 000014
【図１３】
2010088551.tif 000015
【図１４】
2010088551.tif 000016
【図１５】
2010088551.tif 000017
【図１６】
2010088551.tif 000018
【図１７】
2010088551.tif 000019
【図１８】
2010088551.tif 000020
【図１９】
2010088551.tif 000021
【図２０】
2010088551.tif 000022
【図２１】
2010088551.tif 000023
【図２２】
2010088551.tif 000024
【図２３】
2010088551.tif 000025
【図２４】
2010088551.tif 000026
【図２５】
2010088551.tif 000027
【図２６】
2010088551.tif 000028
【図２７】
2010088551.tif 000029
【図２８】
2010088551.tif 000030
【図２９】
2010088551.tif 000031
【図３０】
2010088551.tif 000032
【図３１】
2010088551.tif 000033
【図３２】
2010088551.tif 000034
【図３３】
2010088551.tif 000035
【図３４】
2010088551.tif 000036
【図３５】
2010088551.tif 000037
【図３６】
2010088551.tif 000038
【図３７】
2010088551.tif 000039